(57)【要約】  配列決定セル（２００、３００）を使用する方法は、配列決定セルのナノポア（２１６、３１６）にわたって交流信号（２２８、３２８）を印加するステップ（１３１０）を含む。本方法は、交流信号の複数のサイクルの第１の部分（５２０）の間に第１の電圧データのセットを取得するステップ（１３２０）をさらに含む。本方法は、時間シフトされた電圧データのセットを第１の電圧データのセットから決定するステップ（１３３０）、第１の電圧データのセットのデータポイント（７１０）と時間シフトされた電圧データのセットの対応するデータポイント（７２０）との差分（７３０）を計算することによって、差分データ値を計算するステップ（１３４０）、複数のノイズデータポイント（１４０１、１４０３、１４０５）を、第１の閾値よりも大きい差分データ値を有するデータポイントとして識別するステップ（１３５０）、および第１の電圧データのセットから複数のノイズデータポイントを除去するステップ（１３６０）をさらに含む。【選択図】図７
2021508822.tif 000002
【特許請求の範囲】
【請求項１】
ナノポアを含む配列決定セルであって、前記ナノポアが、ヌクレオチドに連結したタグを受け取るように構成され、それにより充填事象を生み出す、前記配列決定セル；
前記配列決定セルの前記ナノポアにわたって交流信号を印加する信号発生器であって、前記交流信号の各サイクルが第１の部分および第２の部分を含み、前記第２の部分の電圧レベルが前記第１の部分の電圧レベルに対して参照電圧の反対である、前記信号発生器；
前記交流信号の複数のサイクルの前記第１の部分の間に第１の電圧データのセットを取得するアナログデジタル変換器であって、前記第１の電圧データのセットの各データポイントが異なる時間における前記ナノポアの抵抗の値に対応し、前記ナノポアの前記抵抗は前記タグが前記ナノポア内に受け取られるときに変化する、前記アナログデジタル変換器；ならびに
デジタルプロセッサであって、
シフトされた電圧データのセットを前記第１の電圧データのセットから決定することであって、ここで、前記第１の電圧データのセットおよび前記シフトされた電圧データのセットのデータポイントの各サイクルが指定の数のデータポイントを含むものである；
前記第１の電圧データのセットのデータポイントと前記シフトされた電圧データのセットの対応するデータポイントとの差分を計算することによって、差分データ値を計算すること；
複数のノイズデータポイントを、第１の閾値よりも大きい値を有する前記差分データ内のデータポイントとして識別すること；
複数のノイズデータポイントを、第１の閾値よりも大きい差分データ値を有するデータポイントとして識別すること；ならびに
前記第１の電圧データのセットから前記複数のノイズデータポイントを除去することによって、ノイズ除去された第１の電圧データのセットを決定すること；
を行うように構成される、前記デジタルプロセッサ；
を備える、システムまたは器具。
【請求項２】
配列決定セルを使用する方法であって、
前記配列決定セルのナノポアにわたって交流信号を印加するステップであって、前記ナノポアがヌクレオチドに連結したタグを受け取るように構成され、それにより充填事象を生み出し、前記交流信号の各サイクルが第１の部分および第２の部分を含み、前記第２の部分の電圧レベルが前記第１の部分の電圧レベルに対して参照電圧の反対である、前記ステップ；
前記交流信号の複数のサイクルの前記第１の部分の間に第１の電圧データのセットを取得するステップであって、前記第１の電圧データのセットの各データポイントが異なる時間における前記ナノポアの抵抗の値に対応し、前記ナノポアの前記抵抗は前記タグが前記ナノポア内に受け取られるときに変化する、前記ステップ；
シフトされた電圧データのセットを前記第１の電圧データのセットから決定するステップであって、前記第１の電圧データのセットおよび前記シフトされた電圧データのセットのデータポイントの各サイクルが、指定の数のデータポイントを含む、前記ステップ；
前記第１の電圧データのセットのデータポイントと前記シフトされた電圧データのセットの対応するデータポイントとの差分を計算することによって、差分データ値を計算するステップ；
複数のノイズデータポイントを、第１の閾値よりも大きい差分データ値を有するデータポイントとして識別するステップ；ならびに
前記第１の電圧データのセットから前記複数のノイズデータポイントを除去することによって、ノイズ除去された第１の電圧データのセットを決定するステップ；
を含む、前記方法。
【請求項３】
前記ノイズ除去された第１の電圧データのセット内の１つまたは複数のデータポイントを使用して前記充填事象を識別するステップ；
前記充填事象のレベルを決定するステップ；および
前記レベルを使用して、前記配列決定セル内の核酸内へ組み込まれるヌクレオチドを決定するステップ；
をさらに含む、請求項２に記載の方法。
【請求項４】
前記複数のノイズデータポイントを識別する前記ステップが、第２の閾値よりも小さい差分データ値を有するデータポイントを識別することをさらに含む、請求項２に記載の方法。
【請求項５】
前記複数のノイズデータポイントを識別する前に前記差分データをフィルタリングするステップをさらに含む、請求項２に記載の方法。
【請求項６】
前記差分データをフィルタリングする前記ステップが、ウェーブレットノイズ除去された差分データを計算することを含む、請求項５に記載の方法。
【請求項７】
前記差分データをフィルタリングするために使用されるウェーブレットが、ハールウェーブレットである、請求項６に記載の方法。
【請求項８】
前記複数のノイズデータポイントを識別する前記ステップが、前記複数のノイズデータポイントを前記第１の閾値よりも大きいウェーブレットノイズ除去された差分データ値を有するデータポイントとして識別することを含む、請求項７に記載の方法。
【請求項９】
請求項２〜８に記載の方法のいずれかの動作を実施するようにコンピュータシステムを制御するための複数の命令を格納するコンピュータ可読媒体を備えるコンピュータ製品。
【請求項１０】
請求項９に記載のコンピュータ製品；および
前記コンピュータ可読媒体に格納された命令を実行するための１つまたは複数のプロセッサ；
を備えるシステムまたは器具。
【請求項１１】
複数の配列決定セルを含む配列決定チップであって、第１の配列決定セルがナノポアを含み、前記ナノポアがヌクレオチドに連結したタグを受け取るように構成され、それにより充填事象を生み出す、前記配列決定チップ；
前記第１の配列決定セルの前記ナノポアにわたって交流信号を印加する信号発生器であって、前記交流信号の各サイクルが第１の部分および第２の部分を含み、前記第２の部分の電圧レベルが前記第１の部分の電圧レベルに対して参照電圧の反対である、前記信号発生器；
前記交流信号の複数のサイクルの前記第１の部分の間に第１の信号値データのセットを取得するアナログデジタル変換器であって、前記第１の信号値データのセットの各データポイントが異なる時間における前記ナノポアの抵抗の値に対応し、前記ナノポアの前記抵抗は前記タグが前記ナノポア内に受け取られるときに変化する、前記アナログデジタル変換器；ならびに
請求項２〜８に記載の方法のいずれかの動作を実施するように構成される１つまたは複数のプロセッサ；
を備えるシステムまたは器具。
【発明の詳細な説明】
【背景技術】
【０００１】
[0001]内径が１ナノメートル程度のポアサイズを有するナノポア膜装置は、迅速なヌクレオチド配列決定において見込みを示してきた。電圧信号が導電性流体に浸漬されたナノポアにわたって印加されるとき、電界は、イオンを、ナノポアを通り導電性流体内を移動させ得る。ナノポアを通る導電性流体内でのイオンの移動は、わずかなイオン電流をもたらし得る。印加電圧は、分子をさらに移動させ、ナノポア内へ、ナノポアを通り、またはナノポアの外に、配列させ得る。イオン電流（または対応する電圧）のレベルは、ナノポアおよびナノポア内に移動された個々の分子の、サイズおよび化学的構造に依存する。
【０００２】
[0002]ナノポアを通り移動するＤＮＡ分子（または配列決定されることになる他の核酸分子）の代替として、分子（例えば、ＤＮＡ鎖に加えられたヌクレオチド）は、個々のサイズおよび／または構造の個々のタグを含み得る。ナノポアを含む回路内のイオン電流または電圧（例えば、積分コンデンサでの）は、分子に対応するナノポアの抵抗の測定方法として測定され得て、それによりナノポア内の個々の分子、および核酸の特定の位置の特定のヌクレオチドの検出が可能になる。
【０００３】
[0003]ナノポアベースの配列決定チップは、ＤＮＡ配列決定のために使用され得る。ナノポアベースの配列決定チップは、アレイとして構成される大量のセンサセルを組み込み得る。例えば、１，０００，０００セルのアレイは、１０００列×１０００行のセルを含み得る。
【０００４】
[0004]測定される電圧は、製造ばらつきに起因して、チップごとに、および同じチップのセルごとに異なり得る。したがって、セル内の特定の核酸または他の重合体内の正しいヌクレオチドとなり得る、またはそれに対応し得る正しい分子を決定するのは困難である場合がある。
【０００５】
[0005]したがって、改善された技術が配列決定のために望まれる。
【発明の概要】
【０００６】
[0006]様々な実施形態は、マルチセルナノポアベースの配列決定チップのセルからの出力信号の処理に関連した技術およびシステムを提供する。改善されたマルチセルナノポアベースの配列決定チップは、本明細書に開示される様々な実施形態を用いることにより構築され得る。例えば、実施形態は、配列決定信号内の非理想性を補償することができる配列決定信号処理を実施するためのシステムおよび方法を含み得る。非理想性は、充填状態または開放チャネル状態以外のタグ−ナノポアシステムの１つまたは複数の状態の発生によって引き起こされ得る。例えば、タグ−ナノポアシステムの１つまたは複数の中間状態によって引き起こされるノイズが補償され得る。
【０００７】
[0007]いくつかの実施形態によると、配列決定信号内のノイズは、例えば、中間状態によって引き起こされるノイズ信号と、例えば、開放チャネル状態および／または充填状態によって引き起こされるクリーン信号とを区別することができる改善された信号処理技術を使用して除去され得る。改善された信号処理技術は、ノイズポイントを識別し、それらを配列決定信号から除去するために、期間ごとの差分スキームに続いて閾値化手順を用いる。１つの実施形態では、期間ごとの差分信号は、取得された配列決定信号をＡＣ駆動信号の１つのＡＣ期間だけ時間シフトし、次いで時間シフトされた配列決定信号を取得された信号から減じることによって決定される。差分信号は、高い振幅および／または分散を有する部分、ならびに低い振幅および／または分散を有する部分を含むことになる。次いで、閾値が、次の通りに期間ごとの差分信号に適用され得る。閾値よりも大きいすべてのポイントは、ノイズであることが決定され、次いで、期間ごとの差分信号内の閾値を介して識別されるノイズポイントに対応する取得された配列決定信号データポイントは、取得された配列決定信号から除去される。
【０００８】
[0008]いくつかの実施形態では、閾値の範囲内に入るポイントのみがノイズポイントとして識別され、除去されるように、２つ以上の閾値が使用され得る。
【０００９】
[0009]いくつかの実施形態では、差分データは、ノイズポイントを識別するために１つまたは複数の閾値と比較する前に、フィルタリングされるか、平滑化されるか、または別途ノイズ除去され得る。例えば、ウェーブレットべースのノイズ除去技術は、ノイズ除去された期間ごとの信号を生成するために期間ごとの信号に適用され得る。次いで、１つまたは複数の閾値が、ノイズピークのセットを識別するために、このノイズ除去された期間ごとの信号に適用される。いくつかの実施形態では、ウェーブレットベースのノイズ除去技術は、ハールウェーブレットに依拠し得る。
【００１０】
[0010]他の実施形態は、本明細書に説明される方法と関連付けられたシステム、携帯型消費者デバイス、およびコンピュータ可読媒体に向けられる。
【００１１】
[0011]本発明の実施形態の特質および利点のより良い理解は、以下の詳細な説明および添付の図面により得られ得る。
【図面の簡単な説明】
【００１２】
【図１】[0012]ナノポアセルのアレイを備えるナノポアセンサチップの一実施形態の上面図である。
【図２】[0013]ポリヌクレオチドまたはポリペプチドを特徴づけるために使用され得る、ナノポアセンサチップ内のナノポアセルの一実施形態である。
【図３】[0014]ナノポアベースの、合成による配列決定（ナノ−ＳＢＳ）技術を用いてヌクレオチド配列決定を実行するナノポアセルの一実施形態である。
【図４】[0015]ナノポアセル内の電気回路の一実施形態である。
【図５】[0016]本開示のある態様による、ＡＣサイクルの明期間および暗期間中にナノポアセルから取得されたデータポイントの例を示す図である。
【図６】[0017]本開示のある態様による、電圧データの周期性を例証するサンプルデータを示す図である。
【図７】[0018]本開示のある態様による、差分データを決定するための電圧データのシフトを例証し、電圧データが１つの充填事象を有する、図である。
【図８】[0019]本開示のある態様による、差分データを決定するための電圧データのシフトを例証し、電圧データが３つの充填事象を有する、図である。
【図９Ａ】[0020]本開示のある態様による、本明細書では偽充填バックグラウンドノイズ（ＰＴＢＮ）と称されるノイズ源の影響下にある、生のサンプル配列決定信号を例証する図である。
【図９Ｂ】[0020]本開示のある態様による、本明細書では偽充填バックグラウンドノイズ（ＰＴＢＮ）と称されるノイズ源の影響下にある、生のサンプル配列決定信号を例証する図である。
【図１０Ａ】[0021]本開示のある態様による、今度は高速取得ノイズ（ＦＣＮ）として知られるノイズ源の影響下にある、生のサンプル配列決定信号を例証する図である。
【図１０Ｂ】[0021]本開示のある態様による、今度は高速取得ノイズ（ＦＣＮ）として知られるノイズ源の影響下にある、生のサンプル配列決定信号を例証する図である。
【図１１】[0022]本開示のある態様による、生の配列決定信号が、閾値化技術を使用してどのようにノイズ除去されるかを例証する図である。
【図１２Ａ】[0023]図１２Ａは、本開示のある態様による、生の期間ごとの差分信号とハールウェーブレットノイズ除去された期間ごとの差分信号との比較の一例を例証する図である。図１２Ｂは、本開示のある態様による、生の期間ごとの差分信号とハールウェーブレットノイズ除去された期間ごとの差分信号との比較の一例を例証する図である。
【図１２Ｂ】[0023]図１２Ａは、本開示のある態様による、生の期間ごとの差分信号とハールウェーブレットノイズ除去された期間ごとの差分信号との比較の一例を例証する図である。図１２Ｂは、本開示のある態様による、生の期間ごとの差分信号とハールウェーブレットノイズ除去された期間ごとの差分信号との比較の一例を例証する図である。
【図１２Ｃ】[0023]図１２Ａは、本開示のある態様による、生の期間ごとの差分信号とハールウェーブレットノイズ除去された期間ごとの差分信号との比較の一例を例証する図である。図１２Ｂは、本開示のある態様による、生の期間ごとの差分信号とハールウェーブレットノイズ除去された期間ごとの差分信号との比較の一例を例証する図である。
【図１３】[0024]ある実施形態による、配列決定セルを使用する例となる方法を例証するフローチャートである。
【図１４Ａ】[0025]図１４Ａは、本開示のある態様による、ノイズ除去技術を使用して処理されるサンプルデータを例証する図である。
【図１４Ｂ】図１４Ｂは、本開示のある態様による、ノイズ除去技術を使用して処理されるサンプルデータを例証する図である。
【図１４Ｃ】図１４Ｃは、本開示のある態様による、ノイズ除去技術を使用して処理されるサンプルデータを例証する図である。
【図１４Ｄ】図１４Ｄは、本開示のある態様による、ノイズ除去技術を使用して処理されるサンプルデータを例証する図である。
【図１５Ａ】[0026]図１５Ａは、本開示のある態様による、ノイズ除去技術を使用して処理されるサンプルデータを例証する図である。
【図１５Ｂ】図１５Ｂは、本開示のある態様による、ノイズ除去技術を使用して処理されるサンプルデータを例証する図である。
【図１５Ｃ】図１５Ｃは、本開示のある態様による、ノイズ除去技術を使用して処理されるサンプルデータを例証する図である。
【図１５Ｄ】図１５Ｄは、本開示のある態様による、ノイズ除去技術を使用して処理されるサンプルデータを例証する図である。
【図１６Ａ】[0027]図１６Ａは、本開示のある態様による、ノイズ除去技術を使用して処理されるサンプルデータを例証する図である。
【図１６Ｂ】図１６Ｂは、本開示のある態様による、ノイズ除去技術を使用して処理されるサンプルデータを例証する図である。
【図１６Ｃ】図１６Ｃは、本開示のある態様による、ノイズ除去技術を使用して処理されるサンプルデータを例証する図である。
【図１６Ｄ】図１６Ｄは、本開示のある態様による、ノイズ除去技術を使用して処理されるサンプルデータを例証する図である。
【図１７】[0028]本開示のある態様による、コンピュータシステムを例証する図である。
【発明を実施するための形態】
【００１３】
用語
[0029]別途規定のない限り、本明細書で使用される技術的および科学的用語は、当業者により一般的に理解されるものと同じ意味を有する。本明細書に説明されるものに類似する、または等価である、方法、デバイス、および材料が、開示された技術の実践において使用され得る。以下の用語は、頻繁に使用される特定の用語の理解を促進するために提供され、本開示の範囲を制限することは意味しない。本明細書で使用される省略形は、化学的および生物学的分野におけるそれらの慣習的な意味を有する。
【００１４】
[0030]「核酸」は、デオキシリボヌクレオチドまたはリボヌクレオチド、および一本または二本鎖のいずれかの形態の、その重合体を指し得る。この用語は、合成の、自然発生的、非自然発生的であり、参照核酸と同様の結合特性を有し、参照ヌクレオチドと同様の挙動で代謝する、周知のヌクレオチドの類似物または修飾された主鎖の残基または連鎖を含む核酸を包含し得る。そのような類似物の例は、それだけには限らないが、ホスホロチオエート、ホスホルアミダイト、メチルホスホン酸塩、キラルメチルホスホン酸塩、２−Ｏ−メチルリボヌクレオチド、ペプチド核酸（ＰＮＡｓ）を含み得る。別途示されない限り、特定の核酸配列は、保存的に改変されたその変異体（例えば、縮重コドン置換）および相補的配列、ならびに明示的に示される配列も暗に包含する。具体的には、縮重コドン置換は、１つまたは複数の選択された（またはすべての）コドンの３番目の位置が混合塩基および／またはデオキシイノシン残基で置換される配列を生成することによって達成され得る（Ｂａｔｚｅｒら、Ｎｕｃｌｅｉｃ  Ａｃｉｄ  Ｒｅｓ．１９：５０８１（１９９１）；Ｏｈｔｓｕｋａら、Ｊ．Ｂｉｏｌ．Ｃｈｅｍ．２６０：２６０５−２６０８（１９８５）；Ｒｏｓｓｏｌｉｎｉら、Ｍｏｌ．Ｃｅｌｌ．Ｐｒｏｂｅｓ８：９１−９８（１９９４））。用語、核酸は、遺伝子、ｃＤＮＡ、ｍＲＮＡ、オリゴヌクレオチド、およびポリヌクレオチドと交換可能に用いられ得る。
【００１５】
[0031]用語「鋳型」は、ＤＮＡ合成のためのＤＮＡヌクレオチドの相補的鎖へ複製される一本鎖核酸分子を示し得る。場合によっては、鋳型は、ｍＲＮＡの合成中に複製されるＤＮＡの配列を示し得る。
【００１６】
[0032]用語「プライマ」は、ＤＮＡ合成の開始点を提供する短い核酸配列を示し得る。ＤＮＡポリメラーゼなどのＤＮＡ合成を触媒する酵素は、新らたなヌクレオチドをＤＮＡ複製用プライマに加え得る。
【００１７】
[0033]「ポリメラーゼ」は、鋳型を標的としたポリヌクレオチドの合成を実施する酵素を指す。この用語は、全長ポリペプチドとポリメラーゼ活性を有するドメインとの両方を包含する。ＤＮＡポリメラーゼは、当業者にとっては周知であり、パイロコッカス・フリオサス、テルモコッカス・リトラリス、およびサーモトガ・マリティマから単離されるか、またはそれに由来するＤＮＡポリメラーゼ、またはそれらの改変体を含むが、これらに限定されない。それらは、ＤＮＡ依存性ポリメラーゼ、および逆転写酵素などのＲＮＡ依存ポリメラーゼの両方を含む。ＤＮＡ依存性のＤＮＡポリメラーゼの少なくとも５つのファミリーが知られているが、大半はファミリーＡ、Ｂ、およびＣに分類される。様々なファミリー間に配列類似性はほとんどない、またはまったくない。大半のファミリーＡポリメラーゼは、ポリメラーゼ、３’から５’へのエキソヌクレアーゼ活性、および５’から３’へのエキソヌクレアーゼ活性を含む複数の酵素機能を含み得る一本鎖タンパク質である。ファミリーＢポリメラーゼは、典型的には、ポリメラーゼおよび３’から５’へのエキソヌクレアーゼ活性を有する単一触媒ドメイン、ならびにアクセサリー因子を有する。ファミリーＣポリメラーゼは、典型的には、重合および３’から５’へのエキソヌクレアーゼ活性を有するマルチサブユニットタンパク質である。大腸菌においては、ＤＮＡポリメラーゼＩ（ファミリーＡ）、ＩＩ（ファミリーＢ）、およびＩＩＩ（ファミリーＣ）という３種類のＤＮＡポリメラーゼが見つかっている。真核細胞においては、ＤＮＡポリメラーゼα、δ、およびεという３つの異なるファミリーＢポリメラーゼが、核複製に関わり、ポリメラーゼγというファミリーＡポリメラーゼが、ミトコンドリアＤＮＡ複製に使用される。他の種類のＤＮＡポリメラーゼとしては、ファージポリメラーゼが挙げられる。同様に、ＲＮＡポリメラーゼは、典型的には、真核ＲＮＡポリメラーゼＩ、ＩＩ、およびＩＩＩと、バクテリアＲＮＡポリメラーゼならびにファージおよびウイルスポリメラーゼとを含む。ＲＮＡポリメラーゼは、ＤＮＡ依存性およびＲＮＡ依存性であり得る。
【００１８】
[0034]「ナノポア」は、膜内に形成される、または別途提供される、細孔、チャネル、または通路を指す。膜は、脂質二重層などの有機膜、または重合体材料で形成される膜などの合成膜であり得る。ナノポアは、例えば、相補型金属酸化膜半導体（ＣＭＯＳ）または電界効果トランジスタ（ＦＥＴ）回路などの、感知回路、または感知回路に結合された電極に隣接して、または近接して配設され得る。いくつかの例では、ナノポアは、０．１ナノメートル（ｎｍ）程度〜約１０００ｎｍの特徴的な幅または直径を有する。いくつかのナノポアはタンパク質である。
【００１９】
[0035]「ヌクレオチド」は、自然発生的なリボヌクレオチドまたはデオキシリボヌクレオチドモノマーを指すことに加えて、文脈が明白に別のことを示さない限りは、ヌクレオチドが使用されている特定の文脈に関して機能的に等価である（例えば、相補的塩基へのハイブリダイゼーション）派生物および類似物を含む、その関連した構造変異体を指すことが理解され得る。
【００２０】
[0036]「タグ」は、原子もしくは分子であり得る検出可能な部分、または原子もしくは分子の集合を指し得る。タグは、光学的、電気化学的、磁気的、または静電の（例えば、誘導性、容量性の）特徴的性質を提供することができ、この特徴的性質は、ナノポアを用いて検出され得る。典型的には、ヌクレオチドがタグに取り付けられると、それは、「タグ付けされたヌクレオチド」と呼ばれる。タグは、ホスフェート部分を介してヌクレオチドに取り付けられ得る。
【００２１】
[0037]本明細書で用いられるとき、用語「明期間」は、通常、タグ付けされたヌクレオチドのタグが、ＡＣ信号を通して印加される電界によってナノポア内に押し込まれる期間を指す。用語「暗期間」は、通常、タグ付けされたヌクレオチドのタグが、ＡＣ信号を通して印加される電界によってナノポア外に押し出される期間を指す。ＡＣサイクルは、明期間および暗期間を含み得る。異なる実施形態では、ナノポアセルを明期間（または暗期間）内に入れるためにナノポアセルに印加される電圧信号の極性は、異なり得る。
【００２２】
[0038]基礎モデルでは、配列決定セルのナノポア−タグシステムは、開放チャネル状態、またはＣ、Ｇ、Ａ、およびＴヌクレオチドに対応するタグの４つの充填状態のうちの１つという５つの状態のうちの１つであり得る。しかしながら、実践では、ナノポア−タグシステムの動態は、この基礎モデルよりも複雑な場合があり、４つの充填状態に加えて、いくつかの他の中間状態が、追加のノイズが配列決定信号に追加されることをもたらし得る。
【００２３】
[0039]一般に、１つまたは複数の実施形態は、１つまたは複数の中間状態によって引き起こされるノイズを含む配列決定信号からノイズを除去するために使用され得る。例えば、本明細書に開示される信号処理技術は、真の信号（用語「真の信号」は、本明細書では、開放チャネル状態および充填状態によって引き起こされる配列決定信号を指す）と、上で述べられる中間状態など、開放チャネルまたは充填チャネル以外の状態によって引き起こされるノイズ信号との１つまたは複数の差分を利用することができる。より具体的には、実施形態は、ノイズ信号が期間ごとの差分信号内に真の信号よりも著しく高い振幅／分散を保有するという観察に基づいて、ノイズ信号を真の信号と区別するために使用され得る期間ごとの差分技術を用いることができる。言い換えると、期間ごとの差分信号の開放チャネル部分および充填チャネル部分は共に、期間ごとの信号の中間状態部分よりも低い振幅を保有する。
【００２４】
[0040]したがって、本明細書に開示される技術は、閾値を期間ごとの差分信号に適用し、次いで、閾値よりも大きい、またはそれに等しい期間ごとの差分値のセットをノイズとして識別することによって、真の信号をノイズから分離するための方法を提供する。期間ごとの差分信号内のノイズポイントのセットが一旦識別されると、元の配列決定信号は、期間ごとのノイズポイントと関連付けられるポイントを除去することによってノイズ除去され得る。次いで、このノイズ除去された配列決定信号は、必要な場合には、さらに処理され得、最終的には、より正確なナノポアベースのＤＮＡ配列を生み出す塩基分類プロセスへの入力として使用され得る。本明細書で使用される場合、ノイズ除去された信号という用語は、元の信号よりも少ないノイズを含む信号を含むことが意図される。そのようなものとして、ノイズ除去された信号は、本開示の範囲から逸脱することなく、残留ノイズを依然として含み得る。
【００２５】
Ｉ．ナノポアベースの配列決定チップ
[0041]図１は、ナノポアセル１５０のアレイ１４０を備えるナノポアセンサチップ１００の一実施形態の上面図である。各ナノポアセル１５０は、ナノポアセンサチップ１００のシリコン基板上に集積化された制御回路を備える。いくつかの実施形態では、側壁１３６は、アレイ１４０に含まれ、ナノポアセル１５０のグループを分離し得て、その結果、各グループは、特徴づけのための異なるサンプルを受け取り得る。各ナノポアセルは、核酸を配列決定するために用いられ得る。いくつかの実施形態では、ナノポアセンサチップ１００は、カバープレート１３０を備え得る。いくつかの実施形態では、ナノポアセンサチップ１００は、コンピュータプロセッサなどの他の回路とインタフェースする複数のピン１１０も備え得る。
【００２６】
[0042]いくつかの実施形態では、ナノポアセンサチップ１００は、例えばマルチチップモジュール（ＭＣＭ）またはシステムインパッケージ（ＳｉＰ）などのように同一のパッケージ内に複数チップを含み得る。チップは、例えば、メモリ、プロセッサ、フィールドプログラマブルゲートアレイ（ＦＰＧＡ）、特定用途向け集積回路（ＡＳＩＣ）、データコンバータ、高速Ｉ／Ｏインタフェースなどを含み得る。
【００２７】
[0043]いくつかの実施形態では、ナノポアセンサチップ１００は、例えば、脂質懸濁液または他の膜構造化懸濁液、分析物溶液、および／または他の液体、懸濁液、または固体を送達するためのピペット、ロボットアーム、コンピュータプロセッサ、ならびに／あるいはメモリなどの分析物送達メカニズムを含む、本明細書で開示されるプロセスの多様な実施形態を実行する（例えば、自動的に実行する）ための多様な構成要素を含み得るナノチップワークステーション１２０に結合され（例えば、ドッキングされ）得る。複数のポリヌクレオチドが、ナノポアセル１５０のアレイ１４０上で検出され得る。いくつかの実施形態では、各々のナノポアセル１５０は、個別にアドレス可能であり得る。
【００２８】
ＩＩ．ナノポア配列決定セル
[0044]ナノポアセンサチップ１００内のナノポアセル１５０は、多数の異なる方法で実施され得る。例えば、いくつかの実施形態では、異なるサイズおよび／または化学的構造のタグが、配列決定されるために、核酸分子内の異なるヌクレオチドに取り付けられ得る。いくつかの実施形態では、配列決定されることになる核酸分子の鋳型への相補鎖が、別の仕方で重合体がタグ付けされたヌクレオチドを鋳型とハイブリッド形成することによって、合成され得る。いくつかの実施態様では、核酸分子および取り付けられたタグは、両方ともナノポアを通り移動し、ナノポアを通過するイオン電流が、ヌクレオチドに取り付けられたタグの個々のサイズおよび／または構造によって、ナノポア内に存在するヌクレオチドを示し得る。いくつかの実施態様では、タグだけが、ナノポア内へ移動し得る。ナノポア内で異なるタグを検出するために、多数の異なる方法も存在し得る。
【００２９】
Ａ．ナノポア配列決定セル構造
[0045]図２は、ポリヌクレオチドまたはポリペプチドを特徴づけるために使用され得る、図１のナノポアセンサチップ１００内のナノポアセル１５０のような、ナノポアセンサチップ内の一例のナノポアセル２００の一実施形態を示す。ナノポアセル２００は、誘電体層２０１および２０４から形成されたウェル２０５と、ウェル２０５を覆って形成された脂質二重層２１４と、脂質二重層２１４上の、脂質二重層２１４によってウェル２０５から分離された試料室２１５とを、含み得る。ウェル２０５は、ある体積の電解質２０６を収容し得て、試料室２１５は、例えば、可溶性タンパク質ナノポア膜貫通分子複合体（ＰＮＴＭＣ）などのナノポア、および対象の分析物（例えば、配列決定されることになる核酸分子）を収容するバルク電解質２０８を保持し得る。
【００３０】
[0046]ナノポアセル２００は、ウェル２０５の底部に作用電極２０２と、試料室２１５内に配置された対電極２１０とを含み得る。信号源２２８は、電圧信号を作用電極２０２と対電極２１０との間に印加し得る。単一のナノポア（例えば、ＰＮＴＭＣ）が、電圧信号による電気穿孔法プロセスによって脂質二重層２１４内へと挿入され、それにより脂質二重層２１４内のナノポア２１６を形成し得る。アレイ内の個々の膜（例えば、脂質二重層２１４または他の膜構造）は、化学的にも電気的にも互いに接続されていないこともある。それゆえ、アレイ内の各ナノポアセルは、独立した配列決定機械であり、対象の分析物に対して作用し、そうでなければ不透過性の脂質二重層を介してイオン電流を調節するナノポアに関連付けられる、単一のポリマー分子に固有のデータを生成する。
【００３１】
[0047]図２に示すように、ナノポアセル２００は、シリコン基板などの基板２３０上に形成され得る。誘電体層２０１は、基板２３０上に形成され得る。誘電体層２０１を形成するために用いられる誘電体材料は、例えば、ガラス、酸化物、窒化物、その他を含み得る。電気的刺激を制御し、ナノポアセル２００から検出されるデータを処理する電気回路２２２は、基板２３０上および／または誘電体層２０１内部に形成され得る。例えば、複数のパタニングされた金属層（例えば、金属１〜金属６）が、誘電体層２０１内に形成され、複数の能動デバイス（例えば、トランジスタ）が、基板２３０上に製造され得る。いくつかの実施形態では、信号源２２８は、電気回路２２２の一部に含まれる。電気回路２２２は、例えば、増幅器、積算器、アナログデジタル変換器、ノイズフィルタ、フィードバック制御ロジック、および／または多様な他の構成要素を含み得る。電気回路２２２は、メモリ２２６に結合されるプロセッサ２２４にさらに結合され得、プロセッサ２２４は、アレイ内に配列されている重合体分子の配列を決定するために、配列決定データを分析することができ、また、１つまたは複数の指令を電気回路２２２に提供し得る。
【００３２】
[0048]作用電極２０２は、誘電体層２０１上に形成され、ウェル２０５の底部の少なくとも一部を形成し得る。いくつかの実施形態では、作用電極２０２は、金属電極である。非ファラデー性伝導のために、作用電極２０２は、腐食および酸化に耐性を示す、例えば、白金、金、チタン窒化物、およびグラファイトなどの金属または他の材料で形成され得る。例えば、作用電極２０２は、電気めっきを用いた白金電極であってもよい。別の実施例では、作用電極２０２は、チタン窒化物（ＴｉＮ）作用電極であってもよい。作用電極２０２は、多孔質であってもよく、それによりその表面積および結果として生じる作用電極２０２に付随するキャパシタンスを増大させ得る。ナノポアセルの作用電極は、別のナノポアセルの作用電極から独立していることもあることから、作用電極は、本開示内でセル電極と呼ばれ得る。
【００３３】
[0049]誘電体層２０４は、誘電体層２０１上に形成され得る。誘電体層２０４は、ウェル２０５を囲む壁を形成する。誘電体層２０４を形成するために用いられる誘電体材料は、例えば、ガラス、酸化物、シリコン一窒化物（ＳｉＮ）、ポリイミド、または他の適切な疎水性の絶縁材料を含み得る。誘電体層２０４の上面は、シラン処理され得る。シラン処理は、誘電体層２０４の上面の上に疎水性層２２０を形成し得る。いくつかの実施形態では、撥水性層２２０は、約１．５ナノメートル（ｎｍ）の厚さを有する。
【００３４】
[0050]誘電体層の壁２０４によって形成されるウェル２０５は、作用電極２０２の上の電解質２０６の体積を含む。電解質２０６の体積は、緩衝性を有し、以下の、塩化リチウム（ＬｉＣｌ）、塩化ナトリウム（ＮａＣｌ）、塩化カリウム（ＫＣｌ）、グルタミン酸リチウム、グルタミン酸ナトリウム、グルタミン酸カリウム、酢酸リチウム、酢酸ナトリウム、酢酸カリウム、塩化カルシウム（ＣａＣｌ２）、塩化ストロンチウム（ＳｒＣｌ２）、塩化マンガン（ＭｎＣｌ２）、および塩化マグネシウム（ＭｇＣｌ２）、のうちの１つまたは複数を含み得る。いくつかの実施形態では、電解質２０６の体積は、約３マイクロメートル（μｍ）の厚さを有する。
【００３５】
[0051]図２にも示すように、膜は、誘電体層２０４の上面に形成され、ウェル２０５全体に及ぶ。いくつかの実施形態では、膜は、疎水性層２２０の上面に形成された脂質単一層２１８を含み得る。膜がウェル２０５の開口に達したとき、脂質単一層２１８は、ウェル２０５の開口全体に及ぶ脂質二重層２１４に遷移し得る。脂質二重層は、例えば、ジフィタノイル−ホスファチジルコリン（ＤＰｈＰＣ）、１，２−ジフィタノイル−ｓｎ−グリセロ−３−ホスホコリン、１，２−ジ−Ｏ−フィタニル−ｓｎ−グリセロ−３−ホスホコリン（ＤｏＰｈＰＣ）、パルミトイル−オレオイル−ホスファチジルコリン（ＰＯＰＣ）、ジオレオイル−ホスファチジル−メチルエステル（ＤＯＰＭＥ）、ジパルミトイルホスファチジルコリン（ＤＰＰＣ）、ホスファチジルコリン、ホスファチジルエタノールアミン、ホスファチジルセリン、ホスファチジン酸、ホスファチジルイノシトール、ホスファチジルグリセロール、スフィンゴミエリン、１，２−ジ−Ｏ−フィタニル−ｓｎ−グリセロール、１，２−ジパルミトイル−ｓｎ−グリセロ−３−ホスホエタノールアミン−Ｎ−［メトキシ（ポリエチレングリコール）−３５０］、１，２−ジパルミトイル−ｓｎ−グリセロ−３−ホスホエタノールアミン−Ｎ−［メトキシ（ポリエチレングリコール）−５５０］、１，２−ジパルミトイル−ｓｎ−グリセロ−３−ホスホエタノールアミン−Ｎ−［メトキシ（ポリエチレングリコール）−７５０］、１，２−ジパルミトイル−ｓｎ−グリセロ−３−ホスホエタノールアミン−Ｎ−［メトキシ（ポリエチレングリコール）−１０００］、１，２−ジパルミトイル−ｓｎ−グリセロ−３−ホスホエタノールアミン−Ｎ−［メトキシ（ポリエチレングリコール）−２０００］、１，２−ジオレオイル−ｓｎ−グリセロ−３−ホスホエタノールアミン−Ｎ−ラクトシル、ＧＭ１ガングリオシド、リゾホスファチジルコリン（ＬＰＣ）またはその任意の組合せから選択されるリン脂質を含み、またはそれらから構成され得る。
【００３６】
[0052]示したように脂質二重層２１４には、例えば、単一のＰＮＴＭＣによって形成された単一のナノポア２１６が埋め込まれる。上述のように、ナノポア２１６は、単一のＰＮＴＭＣを脂質二重層２１４内に電気穿孔法によって挿入することによって、形成され得る。ナノポア２１６は、対象の分析物および／または小さなイオン（例えば、Ｎａ＋、Ｋ＋、Ｃａ２＋、Ｃｌ−）の少なくとも一部分を脂質二重層２１４の両側間を通過させるのに十分に大きくてもよい。
【００３７】
[0053]試料室２１５は、脂質二重層２１４を覆っており、特徴づける対象の分析物の溶液を保持し得る。溶液は、バルク電解質２０８を含み、最適なイオン濃度への緩衝性を有し、ナノポア２１６を開口状態に維持するために最適なｐＨに維持された水性溶液であり得る。ナノポア２１６は、脂質二重層２１４を横切り、バルク電解質２０８から作用電極２０２へのイオン流のための唯一の経路を提供する。ナノポア（例えば、ＰＮＴＭＣ）および対象の分析物に加えて、バルク電解質２０８は、塩化リチウム（ＬｉＣｌ）、塩化ナトリウム（ＮａＣｌ）、塩化カリウム（ＫＣｌ）、グルタミン酸リチウム、グルタミン酸ナトリウム、グルタミン酸カリウム、酢酸リチウム、酢酸ナトリウム、酢酸カリウム、塩化カルシウム（ＣａＣｌ２）、塩化ストロンチウム（ＳｒＣｌ２）、塩化マンガン（ＭｎＣｌ２）、および塩化マグネシウム（ＭｇＣｌ２）、のうちの１つまたは複数をさらに含み得る。
【００３８】
[0054]対電極（ＣＥ）２１０は、電気化学的電位センサであり得る。いくつかの実施形態では、対電極２１０は、複数ナノポアセル間で共有され、それゆえ、共通電極とも称され得る。いくつかの場合では、共通の電位および共通電極は、すべてのナノポアセルに対して、または少なくとも個々のグループ内のすべてのナノポアセルに対して共通であり得る。共通電極は、共通の電位を、ナノポア２１６と接触するバルク電解質２０８に印加するように構成可能である。対電極２１０および作用電極２０２は、脂質二重層２１４にわたる電気的刺激（例えば、電圧バイアス）を供給するための信号源２２８に結合され、脂質二重層２１４の電気的特性（例えば、抵抗、電気容量、およびイオン電流）を検知のために用いられ得る。いくつかの実施形態では、ナノポアセル２００は、参照電極２１２も含み得る。
【００３９】
[0055]いくつかの実施形態では、多様なチェックが、較正の一部としてナノポアセルの作成中に実施され得る。ナノポアセルが作成された後、さらなる較正ステップが、例えば、所望されるように（例えば、セル中に１ナノポア）実行しているナノポアセルを識別するために、実行されてもよい。そのような較正チェックは、物理的チェック、電圧較正、開放流路較正、および単一のナノポアを有するセルの識別を含み得る。
【００４０】
Ｂ．ナノポア配列決定セルの信号検出
[0056]ナノポアセンサチップ１００内のナノポアセル１５０などのナノポアセンサチップ内のナノポアセルは、合成による単分子ナノポアベースの配列決定（ナノ−ＳＢＳ）技術を用いる並行配列決定を可能にし得る。
【００４１】
[0057]図３は、ナノ−ＳＢＳ技術を用いてヌクレオチド配列決定を実行するナノポアセル３００の一実施形態を示す。ナノ−ＳＢＳ技術では、配列決定されることになる鋳型３３２（例えば、ヌクレオチド酸分子または別の対象の分析物）およびプライマは、ナノポアセル３００の試料室内のバルク電解質３０８内に導入され得る。例として、鋳型３３２は、円形状または直線状であり得る。核酸プライマは、４つの別の仕方で重合体がタグ付けされたヌクレオチド３３８が付加され得る、鋳型３３２の一部にハイブリッド形成され得る。
【００４２】
[0058]いくつかの実施形態では、酵素（例えば、ＤＮＡポリメラーゼなどのポリメラーゼ３３４）が、鋳型３３２への相補鎖を合成するのに用いるナノポア３１６に関連付けられ得る。例えば、ポリメラーゼ３３４は、ナノポア３１６に共有結合していてもよい。ポリメラーゼ３３４は、ヌクレオチド３３８のプライマ上への、一本鎖核酸分子を鋳型として用いる取り込みを触媒する。ヌクレオチド３３８は、４つの異なるタイプＡ、Ｔ、ＧまたはＣのうちの１つであるヌクレオチドを伴うタグ種（「タグ」）を含み得る。タグ付けされたヌクレオチドが、ポリメラーゼ３３４と正しく複合体を形成するとき、タグは、電気的な力、例えば、脂質二重層３１４および／またはナノポア３１６にわたって印加される電圧により生成される電界の存在下で生成される力によってナノポア内に引き込まれ（装填され）得る。タグの尾部は、まず、出入口３１３を介してナノポア３１６に入り、次いで、ナノポア３１６の筒３１７内へ引き込まれ得る。次いで、タグは、ナノポア３１６の筒３１７内に保たれ、タグの別個の化学的な構造および／またはサイズにより、固有のイオン遮断信号３４０を生成し得、それにより、タグが取り付けられた付加された塩基を、電子的に同定する。
【００４３】
[0059]本明細書で用いられるとき、「装填された」または「充填された」タグは、認識可能な長さの時間、例えば、０．１ミリ秒（ｍｓ）から１００００ｍｓの間、ナノポア内に位置決めされる、および／または、ナノポア内または近くに留まるタグでもよい。いくつかの場合では、タグは、ヌクレオチドから放出される前に、ナノポア内に装填される。いくつかの例では、装填されたタグが、ヌクレオチド組み込み事象の際に放出された後にナノポアを通過する（および／またはナノポアにより検出される）確率が適度に高く、例えば９０％から９９％である。
【００４４】
[0060]いくつかの実施形態では、ポリメラーゼ３３４がナノポア３１６に連結される前に、ナノポア３１６のコンダクタンスは、例えば約３００ピコジーメンス（３００ｐＳ）のように高いことがあり得る。タグがナノポア内に装填されるとき、固有のコンダクタンス信号（例えば、信号３４０）は、タグの別個の化学構造および／またはサイズにより生成される。例えば、ナノポアのコンダクタンスは、約６０ｐＳ、８０ｐＳ、１００ｐＳまたは１２０ｐＳであり、それぞれは、タグ付けされたヌクレオチドの４つのタイプのうちの１つに対応する。ポリメラーゼは、次に異性化およびリン酸基転移反応を経て、ヌクレオチドを成長している核酸分子内に組み込み、タグ分子を放出する。
【００４５】
[0061]いくつかの場合では、タグ付けされたヌクレオチドのいくつかは、核酸分子（鋳型）の目下の位置（相補的塩基）と一致し得ない。核酸分子と塩基対合されていないタグ付けされたヌクレオチドも、ナノポアを通過し得る。これらの対合されていないヌクレオチドは、典型的には、正しく対合されたヌクレオチドがポリメラーゼと結合したままである時間スケールより短い時間スケール内で、ポリメラーゼによって拒絶される。対合されていないヌクレオチドに結合されたタグは、ナノポアを迅速に通過し、短期間（例えば、１０ｍｓ未満）の間検出され得て、一方、対合したヌクレオチドに結合されたタグは、ナノポア内に装填され、長期間（例えば、少なくとも１０ｍｓ）の間検出され得る。それゆえ、対合されていないヌクレオチドは、ヌクレオチドがナノポア内で検出される時間に少なくとも部分的に基づいて、下流のプロセッサによって識別され得る。
【００４６】
[0062]装填された（充填された）タグを含むナノポアのコンダクタンス（または等価的に抵抗）が、ナノポアを通過する電流を介して測定され得て、タグ種の識別、それによる目下の位置にあるヌクレオチドを提供する。いくつかの実施形態では、直流（ＤＣ）信号が、ナノポアセルに印加され得る（例えば、タグがナノポアを通って移動する方向が反転しないように）。しかし、直流を用いた長期間のナノポアセンサの運転は、電極の組成を変化させ得て、ナノポア全体のイオン濃度を不平衡にさせ、ナノポアセルの寿命に影響し得る他の望ましくない効果を有し得る。交流（ＡＣ）波形を印加することは、電界移動を低減し、これらの望ましくない効果を回避し、下記のある一定の利点を有し得る。タグ付けされたヌクレオチドを利用する本明細書で説明される核酸配列決定方法は、印加されるＡＣ電圧に完全に共存可能であり、それゆえＡＣ波形が、これらの利点を達成するために用いられ得る。
【００４７】
[0063]ＡＣ検出サイクルの間に電極を再充電する能力は、犠牲電極、電流通過反応で分子特性を変化させる電極（例えば、銀を含む電極）、または電流通過反応で分子特性を変化させる電極が使用されるとき、有益であり得る。電極は、直流信号が使用されるとき、検出サイクル中に消耗し得る。再充電は、電極が小さいとき（例えば、平方ミリメートル当たり少なくとも５００の電極を有する電極アレイに供給するために十分に小さいとき）問題になり得る、電極が完全に枯渇するなどの消耗限界に到達することを防止し得る。電極寿命は、場合によっては、電極幅と共に進み、少なくとも部分的に、それに依存する。
【００４８】
[0064]ナノポアを通過するイオン電流を測定する好適な状態は、当技術分野で知られており、例が本明細書で提供される。測定は、膜および細孔にわたって印加される電圧により実行され得る。いくつかの実施形態では、電圧は、−４００ｍＶ〜＋４００ｍＶの範囲にあり得る。用いられる電圧は、−４００ｍＶ、−３００ｍＶ、−２００ｍＶ、−１５０ｍＶ、−１００ｍＶ、−５０ｍＶ、−２０ｍＶ、および０ｍＶから選択される下限と、＋１０ｍＶ、＋２０ｍＶ、＋５０ｍＶ、＋１００ｍＶ、＋１５０ｍＶ、＋２００ｍＶ、＋３００ｍＶ、および＋４００ｍＶから別々に選択される上限とを有する範囲にあることが好ましい。用いられる電圧は、１００ｍＶ〜２４０ｍＶの範囲にあることがさらに好ましく、１６０ｍＶ〜２４０ｍＶの範囲にあることが最も好ましい。増大された印加電位を用いたナノポアによって異なるヌクレオチド間の識別能力を増大させることが可能である。ＡＣ波形およびタグ付けされたヌクレオチドを用いた核酸の配列決定は、その全体が引用することにより本明細書に組み込まれる、２０１３年１１月６日に提出された「Ｎｕｃｌｅｉｃ  Ａｃｉｄ  Ｓｅｑｕｅｎｃｉｎｇ  Ｕｓｉｎｇ  Ｔａｇｓ（タグを用いた核酸配列決定）」という名称の米国特許公開第ＵＳ２０１４／０１３４６１６で説明されている。米国２０１４／０１３４６１６で説明されたタグ付けされたヌクレオチドに加えて、配列決定は、例えば、５つの一般的な核酸塩基、アデニン、シトシン、グアニン、ウラシル、およびチミンの（Ｓ）−グリセロール・ヌクレオシド・三リン酸塩（ｇＮＴＰｓ）などの糖または非環式の部分を欠く、ヌクレオチド類似物を用いて実行され得る（Ｈｏｒｈｏｔａら、Ｏｒｇａｎｉｃ  Ｌｅｔｔｅｒｓ、８：５３４５−５３４７［２００６］）。
【００４９】
Ｃ．ナノポア配列決定セルの電気回路
[0065]図４は、ナノポアセル２００などのナノポアセル内の電気回路４００（図２の電気回路２２２の一部分を含み得る）の一実施形態を示す。上述のように、いくつかの実施形態では、電気回路４００は、ナノポアセンサチップ内の複数のナノポアセルまたはすべてのナノポアセル間で共有され得、それゆえ、共通電極とも称され得る対電極２１０を含む。共通電極は、交流電圧源４２０（ＶＬＩＱ）に接続することによって、共通の電位を、ナノポアセル内の脂質二重層（例えば、脂質二重層２１４）と接触するバルク電解質（例えば、バルク電解質２０８）に印加するように構成されることが可能である。いくつかの実施形態では、ＡＣ非ファラデー性モードが、電圧ＶＬＩＱをＡＣ信号（例えば、方形波）で変調するために利用され、それをナノポアセル内で脂質二重層に接触するバルク電解質に印加し得る。いくつかの実施形態では、ＶＬＩＱは、±２００〜２５０ｍＶの大きさおよび例えば２５〜４００Ｈｚの周波数を有する方形波である。対電極２１０と脂質二重層（例えば、脂質二重層２１４）との間のバルク電解質は、例えば１００μＦ以上などの大きなコンデンサ（図示せず）によってモデル化され得る。
【００５０】
[0066]図４は、作用電極（例えば、作用電極２０２）および脂質二重層（例えば、脂質二重層２１４）の電気特性を表す電気モデル４２２も示す。電気モデル４２２は、脂質二重層に関連付けられたキャパシタンスをモデル化するコンデンサ４２６（ＣＢｉｌａｙｅｒ）と、ナノポア内の個々のタグの存在に基づいて変化し得る、ナノポアに関連付けられた可変抵抗をモデル化する抵抗器４２８（ＲＰＯＲＥ）とを含む。電気モデル４２２は、２重層キャパシタンス（ＣＤｏｕｂｌｅ  Ｌａｙｅｒ）を有し、作用電極２０２およびウェル２０５の電気特性を表すコンデンサ４２４も含む。作用電極２０２は、他のナノポアセル内の作用電極から独立した別個の電位を印加するように構成され得る。
【００５１】
[0067]パスデバイス４０６は、脂質二重層および作用電極を電気回路４００から接続または切断するために使用され得るスイッチである。パスデバイス４０６は、電圧刺激がナノポアセル内の脂質二重層にわたって印加されることを有効化または無効化するために、制御線４０７によって制御され得る。脂質が、脂質二重層を形成するために堆積される前では、２つの電極間のインピーダンスは、セルのウェルが封止されていないため、非常に低く、それゆえパスデバイス４０６は、短絡状態を回避するために開路に維持され得る。パスデバイス４０６は、脂質溶媒がナノポアセルに堆積されてナノポアセルのウェルを封止した後、閉じられ得る。
【００５２】
[0068]電気回路４００は、オンチップ積分コンデンサ４０８（ｎｃａｐ）をさらに含み得る。積分コンデンサ４０８は、リセット信号４０３を使用してスイッチ４０１を閉じ、その結果、積分コンデンサ４０８が電圧源ＶＰＲＥ４０５に接続されることによって、事前充電され得る。いくつかの実施形態では、電圧源ＶＰＲＥ４０５は、例えば、９００ｍＶの大きさの固定の参照電圧を提供する。スイッチ４０１が閉じられているとき、積分コンデンサ４０８は、電圧源ＶＰＲＥ４０５の参照電圧レベルまで事前充電され得る。
【００５３】
[0069]積分コンデンサ４０８が事前充電された後、リセット信号４０３が使用されスイッチ４０１が開路され、その結果、積分コンデンサ４０８は、電圧源ＶＰＲＥ４０５から切断される。この時点では、電圧源ＶＬＩＱのレベルにより、対電極２１０の電位は、作用電極２０２（および積分コンデンサ４０８）の電位より高いレベルにあるか、その反対でもあり得る。例えば、電圧源ＶＬＩＱからの方形波の正位相の間（例えば、ＡＣ電圧源信号サイクルの明または暗期間）、対電極２１０の電位は、作用電極２０２の電位より高いレベルにある。電圧源ＶＬＩＱからの方形波の負位相の間（例えば、ＡＣ電圧源信号サイクルの暗または明期間）、対電極２１０の電位は、作用電極２０２の電位より低いレベルにある。したがって、いくつかの実施形態では、積分コンデンサ４０８は、対電極２１０と作用電極２０２との間の電位差により、明期間の間に電圧源ＶＰＲＥ４０５の事前充電された電圧レベルからさらに高いレベルまで充電され、暗期間中により低いレベルに放電され得る。他の実施形態では、充電および放電は、それぞれ暗期間および明期間に発生し得る。
【００５４】
[0070]積分コンデンサ４０８は、１ｋＨｚ、５ｋＨｚ、１０ｋＨｚ、１００ｋＨｚ、またはそれを超え得る、アナログデジタル変換器（ＡＤＣ）４１０のサンプリング速度による固定された期間に、充電または放電され得る。例えば、１ｋＨｚのサンプリング速度で、積分コンデンサ４０８は、約１ｍｓの期間中、充電／放電し、次に、電圧レベルがサンプリングされ、積分期間の終わりにＡＤＣ４１０によって変換され得る。個々の電圧レベルは、ナノポア内の個々のタグ種に対応し、それゆえ、鋳型上の目下の位置でのヌクレオチドに対応し得る。
【００５５】
[0071]ＡＤＣ４１０によるサンプリングされた後、積分コンデンサ４０８は、リセット信号４０３を使用しスイッチ４０１を閉じ、その結果、積分コンデンサ４０８が電圧源ＶＰＲＥ４０５に再接続されることによって、再び事前充電され得る。積分コンデンサ４０８を事前充電するステップと、積分コンデンサ４０８が充電または放電する一定の期間待機するステップと、積分コンデンサの電圧レベルをＡＤＣ４１０によってサンプリングおよび変換するステップとが、配列決定プロセスの間中サイクルで繰り返され得る。
【００５６】
[0072]デジタルプロセッサ４３０は、例えば、正規化、データバッファリング、データフィルタリング、データ圧縮、データ削減、イベント抽出、またはナノポアセルアレイからのＡＤＣ出力データを多様なデータフレームへのアセンブリングなどのために、ＡＤＣ出力データを処理し得る。いくつかの実施形態では、デジタルプロセッサ４３０は、塩基判定などのさらに下流の処理を実行し得る。デジタルプロセッサ４３０は、ハードウェア（例えば、ＧＰＵ、ＦＰＧＡ、ＡＳＩＣなどの内部の）またはハードウェアとソフトウェアとの組合せとして実装され得る。
【００５７】
[0073]したがって、ナノポアにわたって印加される電圧信号は、ナノポアの個々の状態を検出するために用いられ得る。ナノポアの可能な状態の１つは、タグが取り付けられたポリホスフェートがナノポアの筒に存在しない場合、開放チャネル状態であり、本明細書では、ナノポアの未充填状態とも称される。ナノポアの別の４つの可能な状態は、タグが取り付けられたポリホスフェートヌクレオチドの４つの異なるタイプ（Ａ、Ｔ、ＧまたはＣ）のうちの１つがナノポアの筒内に保持されるときの状態に各々対応する。ナノポアのさらに別の可能な状態は、脂質二重層が断裂するときである。
【００５８】
[0074]積分コンデンサ４０８での電圧レベルが、固定された期間後に測定されるとき、ナノポアの異なる状態は、異なる電圧レベルの測定値をもたらし得る。これは、積分コンデンサ４０８（すなわち、時間に対する積分コンデンサ４０８の電圧のグラフの傾きの程度）での電圧減衰率（放電による減少または充電による増大）が、ナノポアの抵抗（例えば、抵抗器ＲＰＯＲＥ４２８の抵抗）に依存するからである。より詳しくは、異なる状態のナノポアに関連付けられた抵抗が、分子（タグ）の別個の化学構造に起因して異なるので、異なる対応する電圧減衰率は、観察され得るようになり、ナノポアの異なる状態を識別するために用いられ得る。電圧減衰曲線は、ＲＣ時定数τ＝ＲＣを有する指数関数曲線であり得て、ここで、Ｒは、ナノポアに関連付けられた抵抗（すなわち、ＲＰＯＲＥ４２８）であり、Ｃは、Ｒに並列の膜に関連付けられたキャパシタンス（すなわち、コンデンサ４２６（ＣＢｉｌａｙｅｒ））である。ナノポアセルの時定数は、例えば、約２００〜５００ｍｓであり得る。減衰曲線は、二重層の詳細な実施により、指数関数曲線に正確に一致し得ないが、減衰曲線は、指数関数曲線に類似し、単調であり得て、それゆえ、タグの検出を可能にする。
【００５９】
[0075]いくつかの実施形態では、開放チャネル状態にあるナノポアに関連付けられた抵抗は、１００Ｍｏｈｍ〜２０Ｇｏｈｍまでの範囲内にあり得る。いくつかの実施形態では、タグが、ナノポアの筒内部に存在する状態にあるナノポアに関連付けられた抵抗は、２００ＭＯｈｍ〜４０ＧＯｈｍまでの範囲内にあり得る。他の実施形態では、積分コンデンサ４０８は、ＡＤＣ４１０へ導く電圧が、電気モデル４２２内の電圧減衰によりやはり変化することになるため、省略され得る。
【００６０】
[0076]積分コンデンサ４０８での電圧の減衰率は、異なる方法で決定され得る。上で説明したように、電圧減衰率は、一定の時間間隔の間の電圧減衰を測定することによって決定され得る。例えば、積分コンデンサ４０８での電圧は、最初に時間ｔ１でＡＤＣ４１０により測定され、次に、電圧は、時間ｔ２でＡＤＣ４１０により再び測定される。時間曲線に対する積分コンデンサ４０８での電圧の傾きがより急であるとき、電圧差はより大きく、電圧曲線の傾きがより緩やかなとき、電圧差はより小さい。このように、電圧差は、積分コンデンサ４０８での電圧の減衰率を、ゆえに、ナノポアセルの状態を決定するための測定基準として用いられ得る。
【００６１】
[0077]他の実施形態では、電圧減衰率は、選択された電圧減衰量のために必要な持続時間を測定することによって決定され得る。例えば、電圧が第１の電圧レベルＶ１から第２の電圧レベルＶ２に降下または増大するのに必要な時間が測定され得る。時間に対する電圧曲線の傾きがより急であるとき、必要な時間はより少なく、時間に対する電圧曲線の傾きがより緩やかなとき、必要な時間はより大きい。このように、必要な測定時間は、積分コンデンサｎｃａｐ４０８での電圧の減衰率を、ゆえに、ナノポアセルの状態を決定するための測定基準として用いられ得る。当業者には、例えば、電流測定技術を含む、ナノポアの抵抗を測定するために必要とされ得る多様な回路を理解されよう。
【００６２】
[0078]いくつかの実施形態では、電気回路４００は、オンチップに、パスデバイス（例えば、パスデバイス４０６）および追加のコンデンサ（例えば、積分コンデンサ４０８（ｎｃａｐ））を含まないことがあり、それによりナノポアベースの配列決定チップのサイズの削減を支援する。膜（脂質二重層）の薄い性質のため、膜に関連付けられたキャパシタンス（例えば、コンデンサ４２６（ＣＤｉｌａｙｅｒ））のみで、追加のオンチップのキャパシタンスを必要とすることなく必要なＲＣ時定数を生み出すのに十分とすることができる。それゆえ、コンデンサ４２６は、積分コンデンサとして使用され得て、電圧信号ＶＰＲＥによって事前充電され、続いて、電圧信号ＶＬＩＱによって放電または充電され得る。そうでなければ電気回路内にオンチップで作製される追加のコンデンサおよびパスデバイスをなくすことにより、ナノポア配列決定チップ内の単一のナノポアセルのフットプリントを著しく減少させることができ、それにより、（例えば、ナノポア配列決定チップ内の数百万ものセルを有する）ますます多くのセルを含むためにナノポア配列決定チップを拡大することが容易になる。
【００６３】
Ｄ．ナノポアセル内でのデータサンプリング
[0079]核酸の配列決定を実行するために、積分コンデンサ（例えば、積分コンデンサ４０８（ｎｃａｐ））またはコンデンサ４２６（ＣＢｉｌａｙｅｒ）の電圧レベルは、タグ付けされたヌクレオチドが核酸に加えられている間に、ＡＤＣ（例えば、ＡＤＣ４１０）によってサンプリングされ変換され得る。ヌクレオチドのタグは、例えば、ＶＬＩＱがＶＰＲＥより低いような印加電圧のとき、対電極および作用電極を介して印加される、ナノポアにわたる電界によって、ナノポアの筒内へと押し入れられ得る。
【００６４】
１．充填
[0080]充填事象は、タグ付けされたヌクレオチドが、鋳型（例えば、核酸断片）に取り付けられ、タグがナノポアの筒の内外に進むときにあたる。これは、充填事象の間に複数回発生し得る。タグが、ナノポアの筒内にあるとき、ナノポアの抵抗は、より高く、より低い電流がナノポアを通り流れ得る。
【００６５】
[0081]配列決定の間、タグは、いくつかのＡＣサイクル状態でナノポア内に存在しないことがあり（開放チャネル状態と呼ぶ）、この場合電流は、ナノポアのより低い抵抗のために、最も高い。タグがナノポアの筒内へ引き込まれるとき、ナノポアは、明モードである。タグがナノポアの筒外へと押し出されるとき、ナノポアは、暗モードである。
【００６６】
２．明および暗期間
[0082]ＡＣサイクルの間、積分コンデンサでの電圧は、ＡＤＣによって複数回サンプリングされ得る。例えば、ある実施形態では、ＡＣ電圧信号が、システム全体に、例えば、約１００Ｈｚで印加され、ＡＤＣの取得速度は、セルあたり約２０００Ｈｚであり得る。このように、ＡＣサイクル（ＡＣ波形のサイクル）毎に取得される約２０のデータポイント（電圧測定値）が存在し得る。ＡＣ波形の１サイクルに対応するデータポイントは、１セットと呼ばれ得る。ＡＣサイクル毎のデータポイントの１セット内には、例えば、明モード（期間）に対応し得る、ＶＬＩＱがＶＰＲＥより低いときキャプチャされるサブセットが存在し得て、このときタグは、ナノポアの筒内へと押し込まれる。別のサブセットは、暗モード（期間）に対応し得て、このときタグは、例えば、ＶＬＩＱがＶＰＲＥより高いとき、印加される電界によってナノポアの筒外へと押し出される。
【００６７】
３．測定電圧
[0083]データポイント毎に、スイッチ４０１が開路のとき、積分コンデンサ（例えば、積分コンデンサ４０８（ｎｃａｐ）またはコンデンサ４２６（ＣＢｉｌａｙｅｒ））における電圧は、例えば、ＶＬＩＱがＶＰＲＥより高いとき、ＶＰＲＥからＶＬＩＱに増大し、ＶＬＩＱがＶＰＲＥより低いとき、ＶＰＲＥからＶＬＩＱに減少するように、ＶＬＩＱによる充電／放電の結果として減衰する挙動で変化していく。最終的な電圧値は、ＶＬＩＱから作用電極の電荷だけずれる。積分コンデンサでの電圧レベルの変化率は、ナノポアを含み、結果としてナノポア内の分子（例えば、タグ付けされたヌクレオチドのタグ）を含み得る、二重層の抵抗の値によって支配され得る。電圧レベルは、スイッチ４０１が開路した後の所定時間に測定され得る。
【００６８】
[0084]スイッチ４０１は、データ収集速度で動作し得る。スイッチ４０１は、通常、ＡＤＣによる測定の直後の２回のデータ取得間の比較的短時間、閉路され得る。スイッチは、複数データポイントがＶＬＩＱの各ＡＣサイクルの各サブ期間（明または暗）の間収集されることを可能にする。スイッチ４０１が開路のままのとき、積分コンデンサでの電圧レベルおよび、それゆえ、ＡＤＣの出力値は、完全に減衰し、そこに留まり得る。代わりに、スイッチ４０１が閉じられているとき、積分コンデンサは、再び（ＶＰＲＥまで）再充電され、別の測定のための準備が整う。こうして、スイッチ４０１は、複数データポイントが各ＡＣサイクルの各サブ期間（明または暗）にわたって収集されることを可能にする。そのような複数の測定は、固定されたＡＤＣ（例えば、平均化され得る、より多数の測定による８ビットから１４ビット）を用いたより高い分解能を可能にさせ得る。複数の測定は、ナノポア内に充填される分子に関する動態情報をさらに提供し得る。時間の情報により、どれだけの長さで充填が発生するかの決定を可能にさせ得る。これは、核酸鎖に加えられる複数のヌクレオチドが配列決定されつつあるか否かを判定することを支援することにも用いられ得る。
【００６９】
[0085]図５は、ＡＣサイクルの明期間および暗期間中のナノポアセルから取得されたデータポイントの例を示す。図５では、データポイントでの変化は、図解目的用に強調されている。作用電極または積分コンデンサに印加される電圧（ＶＰＲＥ）は、例えば、９００ｍＶなどの一定のレベルにある。ナノポアセルの対電極に印加される電圧信号５１０（ＶＬＩＱ）は、方形波として示されるＡＣ信号であり、このときデューティサイクルは、５０％以下、例えば約４０％のような任意の好適な値であり得る。
【００７０】
[0086]明期間５２０の間、対電極に印加される電圧信号５１０（ＶＬＩＱ）は、作用電極に印加される電圧ＶＰＲＥより低く、その結果、タグは、作用電極および対電極に印加される、異なる電圧レベルに起因する電界によって、ナノポアの筒内に押し込まれ得る（例えば、タグ上の電荷および／またはイオンの流れにより）。スイッチ４０１が開路のとき、ＡＤＣの前のノードでの（例えば、積分コンデンサでの）電圧は、減少していく。電圧データポイントが取得された後（例えば、指定された期間の後）、スイッチ４０１は、閉路され得て、測定ノードでの電圧は、ＶＰＲＥへと再び戻るように増大していく。プロセスは、複数の電圧データポイントを測定するために繰り返され得る。このようにして、複数のデータポイントは、明期間の間に取得され得る。
【００７１】
[0087]図５に示すように、ＶＬＩＱ信号の符号の変化の後の明期間内の第１のデータポイント５２２（第１のポイントデルタ（ＦＰＤ）とも呼ばれる）は、後続のデータポイント５２４よりも低いことがあり得る。これは、ナノポア内にタグが存在しないからであり（開流路）、それゆえ、それは低抵抗および高放電率を有するためであり得る。いくつかの例では、第１のデータポイント５２２は、図５に示すようなＶＬＩＱレベルを超え得る。これは、信号をオンチップコンデンサに結合する二重層のキャパシタンスに起因し得る。データポイント５２４は、充填事象が発生した、すなわち、タグがナノポアの筒内に押し込まれた後取得され得て、この場合ナノポアの抵抗、およびそれゆえの積分コンデンサの放電速度は、ナノポアの筒内に押し込まれるタグの個々のタイプに依存する。データポイント５２４は、以下で説明するように、ＣＤｏｕｂｌｅ  Ｌａｙｅｒ４２４で生成される電荷により、測定毎にわずかに減少し得る。
【００７２】
[0088]暗期間５３０の間、対電極に印加される電圧信号５１０（ＶＬＩＱ）は、作用電極に印加される電圧ＶＰＲＥより高く、その結果、いずれのタグも、ナノポアの筒外に押し出され得る。スイッチ４０１が開路のとき、測定ノードでの電圧は、電圧信号５１０（ＶＬＩＱ）の電圧レベルがＶＰＲＥより高いので、増大する。電圧データポイントが取得された後（例えば、指定された期間の後）、スイッチ４０１は、閉路され得て、測定ノードでの電圧は、ＶＰＲＥへと再び戻るように減少していく。プロセスは、複数の電圧データポイントを測定するために繰り返され得る。このように、複数のデータポイントは、第１のポイントデルタ５３２および後続のデータポイント５３４を含む暗期間の間に取得され得る。上述のように、暗期間の間に、いずれのヌクレオチドタグもナノポアの外に押し出され、それゆえ、任意のヌクレオチドタグに関する最小限度の情報が取得され、さらに正規化に用いられる。
【００７３】
[0089]図５は、明期間５４０の間、対電極に印加される電圧信号５１０（ＶＬＩＱ）は、作用電極に印加される電圧ＶＰＲＥより低いにもかかわらず、充填事象が発生しない（開経路）ことも示す。したがって、ナノポアの抵抗は低く、積分コンデンサの放電速度は高い。結果的に、第１のデータポイント５４２および後続のデータポイント５４４を含む、取得されたデータポイントは、低電圧レベルを示す。
【００７４】
[0090]明または暗期間の間に測定される電圧は、ナノポアの一定の抵抗（例えば、１つのタグがナノポア内にある間に所与のＡＣサイクルの明モードの間に形成される）の測定毎にほぼ同一であると期待され得るが、このことは、電荷が２重層コンデンサ４２４（ＣＤｏｕｂｌｅ  Ｌａｙｅｒ）で生成する場合であり得ない。この電荷生成は、ナノポアセルの時定数をより長くさせる結果をもたらし得る。結果的に、電圧レベルは移動し、それにより測定値がサイクル内のデータポイント毎に減少するという結果をもたらし得る。このように、サイクル内で、データポイントは、図５に示すように、ある程度データポイントから別のデータポイントへ変化し得る。
【００７５】
４．塩基決定
[0091]ナノポアセンサチップの有効なナノポアセル毎に、生成モードが、核酸を配列決定するために実行され得る。配列決定中に取得されるＡＤＣ出力データは、より高い精度を提供するために、正規化され得る。正規化は、サイクル形状およびベースラインシフトなどの偏位効果を引き起こし得る。正規化の後、実施形態は、充填された経路の電圧のクラスタを決定し得て、ここで各クラスタは、異なるタグ種、およびそれゆえの異なるヌクレオチドに対応する。クラスタは、所与のヌクレオチドに対応する所与の電圧の確率を算出するために使用され得る。別の例として、クラスタは、異なるヌクレオチド（塩基）間での差別化のための分離電圧を決定するために用いられ得る。
【００７６】
[0092]配列決定処理に関するさらなる詳細は、例えば、「Ｎａｎｏｐｏｒｅ−Ｂａｓｅｄ  Ｓｅｑｕｅｎｃｉｎｇ  Ｗｉｔｈ  Ｖａｒｙｉｎｇ  Ｖｏｌｔａｇｅ  Ｓｔｉｍｕｌｕｓ（電圧刺激を変化させるナノポアベースの配列決定）」という名称の米国特許公開第２０１６／０１７８５７７、「Ｎａｎｏｐｏｒｅ−Ｂａｓｅｄ  Ｓｅｑｕｅｎｃｉｎｇ  Ｗｉｔｈ  Ｖａｒｙｉｎｇ  Ｖｏｌｔａｇｅ  Ｓｔｉｍｕｌｕｓ（電圧刺激を変化させるナノポアベースの配列決定）」という名称の米国特許公開第２０１６／０１７８５５４、「Ｎｏｎ−Ｄｅｓｔｒｕｃｔｉｖｅ  Ｂｉｌａｙｅｒ  Ｍｏｎｉｔｏｒｉｎｇ  Ｕｓｉｎｇ  Ｍｅａｓｕｒｅｍｅｎｔ  Ｏｆ  Ｂｉｌａｙｅｒ  Ｒｅｓｐｏｎｓｅ  Ｔｏ  Ｅｌｅｃｔｒｉｃａｌ  Ｓｔｉｍｕｌｕｓ（電気的刺激に応答した二重層の測定を用いた非破壊二重層モニタリング）」という名称の米国特許出願第１５／０８５，７００、および「Ｅｌｅｃｔｒｉｃａｌ  Ｅｎｈａｎｃｅｍｅｎｔ  Ｏｆ  Ｂｉｌａｙｅｒ  Ｆｏｒｍａｔｉｏｎ（二重層形成の電気的促進）」という名称の米国特許出願第１５／０８５，７１３の中で見つけることができ、これらの開示はあらゆる目的のためにそれらの全体が参照により本明細書に組み込まれる。
【００７７】
５．電圧値の周期性
[0093]図６は、いくつかの実施形態に従って実行するテスト配列決定のためのサンプル明および暗期間データを示す。明期間データは、図の上部分６０１に示され、暗期間データは、図の下部分６０３に示される。電圧データの周期性は、図４に関して上に説明されるように、交流（ＡＣ）電圧源、例えば、ＡＣ電圧源４２０によって提供される交流信号によって引き起こされる。図６に示される各データポイントは、パスデバイス４０６の開放に対するある特定の時間期間後、ナノポアセル回路のノードにおける、例えば、図４内のｎｃａｐにおける、電圧のＡＤＣ測定によって得られる。各測定について、ｎｃａｐにおける電圧は、ＶＰＲＥで開始し（ＶＰＲＥは、破線６１２として示される）、次いで減衰して、ＡＣサイクル内の期間（明または暗）に応じて＋／−ＶＬＩＱに近づく。ある特定の時間減衰後、ＡＤＣは電圧値を測定する。図６は、これらの測定された電圧値の集合を示し、すなわち、各データポイントは、ＶＰＲＥからＶＬＩＱまでのＲＣ減衰曲線の単一ポイントサンプルである。図６に示される例では、データ取得速度は、約１，９７６Ｈｚである。各期間内で、ポイントごとの電圧の変動は、セル内の電荷生成によって、部分的に引き起こされ、積分コンデンサ（例えば、使用される回路に応じてコンデンサ４０８またはコンデンサ４２６）の充電／放電についての根本の電圧減衰曲線に全体的なシフトをもたらす。
【００７８】
[0094]図６は、明モードの開放チャネル状態からのデータ、例えば、７番目のＡＣサイクルの明期間の開始直後に現れる充填事象６１０に先行する明モードデータ６２０を示す。その後の開放チャネル値および他のＡＣサイクル内の充填事象も時間の経過と共に示される。いくつかの実施形態では、ここで示されるように、明期間内の測定されたＡＤＣ値は、実際には、充填状態および開放チャネル状態の両方についてサイクルごとにかなり繰り返し可能である。これは、１つの明期間のデータ内のシステマティックオフセットおよびノイズが、暗チャネルデータを使用する必要なしに、隣接する（あるいは、その後の非隣接の）明期間のデータを使用して補償され得るという可能性を開く。以下の章は、電圧データの周期性を利用する１つまたは複数の実施形態を詳述する。
【００７９】
ＩＩＩ．期間ごとの差分信号を使用したノイズの識別および特徴付け
[0095]理想化されたシナリオでは、配列決定セルのナノポア−ＤＮＡ−タグシステムは、開放チャネル状態またはＣ、Ｇ、Ａ、およびＴに対応するタグの４つの充填状態のうちの１つという５つの状態のうちの１つであり得る。図３に関して上に論じられるように、充填事象の間、タグの尾部は、まず、出入口３１３を介してナノポア３１６に入ることができ、次いで、尾部は、ナノポア３１６の筒３１７内へ引き込まれ得る。タグがナノポア３１６の筒３１７内に保たれると、固有のイオン遮断信号が生成され、それにより、タグが取り付けられた付加された塩基を、電子的に同定する。
【００８０】
[0096]しかしながら、実践では、ナノポア−ＤＮＡ−タグシステムの動態は、上に説明される理想の充填動態よりも複雑な場合があり、これらの非理想性が、追加のノイズがイオン遮断信号に追加されることをもたらし得る。例えば、タグは、筒内に保たれることなくナノポアを非常に素早く通過し得る。タグは、筒に一時的に入るだけで、その後、出入口を介して再び出る場合がある。加えて、タグは、出入口内へ入り、そこでは、タグが筒内へ効果的に引き込まれることを可能にしない折り畳まれた構成を貫き得る。この場合、折り畳まれたタグは、出入口を介して再びナノポアを出るまでのある時間期間にわたって出入口に保たれ得る。ナノポア−ＤＮＡ−タグの多くの潜在的な中間状態が可能であり、各々が、配列決定信号上のノイズに寄与し得る。いくつかの場合では、これらのいわゆる「中間状態」は、予測される充填チャネル値に等しいか、またはほぼ等しい信号値を保有することさえあり得、したがって、下流の配列決定エラーをもたらす充填塩基として、意図せず識別され得る。関連したシステムの他の潜在的な中間状態は、Ｍａｇｌｉａら、Ｅｎｈａｎｃｅｄ  Ｔｒａｎｓｌｏｃａｔｉｏｎ  ｏｆ  Ｓｉｎｇｌｅ  ＤＮＡ  Ｍｏｌｅｃｕｌｅｓ  Ｔｈｒｏｕｇｈ  α−Ｈｅｍｏｌｙｓｉｎ  Ｎａｎｏｐｏｒｅｓ  ｂｙ  Ｍａｎｉｐｕｌａｔｉｏｎ  ｏｆ  Ｉｎｔｅｒｎａｌ  Ｃｈａｒｇｅ，Ｐｒｏｃ  Ｎａｔｌ  Ａｃａｄ  Ｓｃｉ  Ｕ．Ｓ．Ａ．２００８  Ｄｅｃ１６；１０５（５０）：１９７２０−１９７２５に説明される。これらの状態は、本明細書では中間状態と称されるが、任意の未充填状態または未開放チャネル状態が、配列決定信号上のノイズに寄与し得、そのようなものとして、本開示の実施形態は、本明細書に説明される特定の物理的源を有するノイズ源に限定されないということを理解されたい。
【００８１】
[0097]いくつかの場合では、物理的動態中間状態のタイムスケールは、真実の充填事象と関連付けられたタイムスケールとは異なり得る。加えて、また何らかの関連で、中間状態の間の経時的な配列決定信号の振幅における分散は、開放チャネル状態および／または４つの充填チャネル状態の両方の間の経時的な分散とは異なり得る。有利には、本明細書に開示される信号処理技術は、真の信号（開放チャネルおよび／または充填信号）とノイズ信号（上に説明される中間状態を含む、他の状態によって引き起こされる）との間の、例えば、タイムスケールおよび分散における差分を利用することができ、これらの技術は、配列決定信号をノイズ除去するために使用され得る。より具体的には、特定の実施形態によると、期間ごとの差分技術は、ノイズを含む配列決定信号の部分を識別するために使用され得、その結果として、これらのポイントは、開放チャネル状態または充填状態のいずれかであるより高い割合のポイントを含むノイズ除去された信号を残して除去され得る。
【００８２】
Ａ．期間ごとの差分方法の概論
[0098]特定の実施形態によると、ノイズ信号は、本明細書では期間ごとの差分と称される技術を使用して識別および分析され得る。期間ごとの差分の１つの形態は、同時係属の米国特許出願第１５／６２８，３５３号内で説明され、この開示は、あらゆる目的のためにその全体が引用により本明細書に組み込まれる。特定の実施形態によると、本明細書では「差分データ」とも称される期間ごとの差分信号を決定するために、データの１つのサイクルが、データの別のサイクルから減じられ得る。例えば、近接するサイクルから発生する対応するデータポイントは、以下にさらに詳細に説明されるような差分データを獲得するために、互いから（例えば、最近接、第二近接など）減じられ得る。
【００８３】
[0099]図７は、複数サイクル１〜４のデータポイントのセットを示し、各サイクルが、図７の各プロットの上に位置するＢラベルおよびＤラベルによって示される、それぞれの明期間および暗期間を有する。２つのシフトされたデータセットは、生の配列決定データから生成され得、各々がメモリに格納され得る。信号７１０は、半分の期間だけ左にシフトされる生データ（本明細書ではｌｅｆｔ＿ａｄｃと称される）であり、データ７２０は、半分の期間だけ右にシフトされる生データ（本明細書ではｒｉｇｈｔ＿ａｄｃと称される）である。この実施形態は、正味１期間シフトの例を示すが、本開示の範囲から逸脱することなく、他のシフト、例えば、２期間シフト、３期間シフトなどが可能である。さらに、生データは、半期において２回シフトすることと対照的に、１つの完全な期間シフトされるシフトされたデータと一緒に、使用され得る。次いで、処理された差分データ７３０（本明細書ではｐ２ｐ＿ｄｉｆｆと称される）が、２つのシフトされたａｄｃ信号を減じることによって作成され得、この場合、以下の通りである。
ｐ２ｐ＿ｄｉｆｆ＝ｌｅｆｔ＿ａｄｃ−ｒｉｇｈｔ＿ａｄｃ      （１）
【００８４】
[0100]いくつかの実施形態では、処理された差分データ７３０（ｐ２ｐ＿ｄｉｆｆ）の第１のサイクルは、生のサイクル１から生のサイクル２を減じることによって得られる。処理された差分データ７３０（ｐ２ｐ＿ｄｉｆｆ）の第２のサイクルは、生のサイクル２から生のサイクル３を減じることによって得られる。処理された差分データ７３０（ｐ２ｐ＿ｄｉｆｆ）の第３のサイクルは、生のサイクル４から生のサイクル３を減じることによって得られる、というように続く。処理された差分データ７３０において、生データからの単一の充填事象７７０は複製され、まず正のピーク（事象ピーク７５０）として現れ、続いて負のピーク（事象ピーク７６０）として再び現れる。
【００８５】
[0101]当業者は、事象ピーク７５０および７６０が、通常、反対符号であり、したがって、正および負の修飾子が、単に一例として本明細書では使用される、ということを理解するものとする。この単一の充填事象についての正および負のピークは、２つのシフトされたデータセット間の正味の時間シフトに等しい量（この例では１つの完全な期間）だけ時間的な隔たりがある。しかしながら、正味の時間シフトは、複数サイクルにわたって持続する充填事象ではより長い場合がある。
【００８６】
[0102]図７は、処理された差分データ７３０を計算するためのポイント別の期間ごとの差分方法を示すが、任意の差分スキームが、本開示の範囲から逸脱することなく使用され得、例えば、シフトは、単一または複数の期間だけいずれかの方向（右から左または左から右）におけるものであってもよい。図７は、単一期間だけ左から右へ（正味）シフトすることによる最近接差分を示す。しかしながら、差分は、根本の信号に関するより粗いスケール情報を提供し得る期間の倍だけシフトすることによって取られ得る。
【００８７】
[0103]第１のサイクルおよび／または最後のサイクルについての差分は、シフトされたサイクルのうちの１つについて第１のサイクルデータまたは最後のサイクルデータが存在しない場合があることから、決定されない場合がある。したがって、これらの領域は、本明細書では「無効領域」と称される。第１の無効領域７４０の例が図７に示される。
【００８８】
[0104]図８は、上の図７に説明される同じシフト方法を使用するが、今回はわずかに異なる性質の生データを有する、差分技術の実施形態を例証する。ここに示されるように、いくつかの実施形態では、充填事象は、２つ以上のＡＣサイクルにわたって続き得る。例えば、図８のデータでは、充填事象は、充填事象８１０、８２０、および８３０によって示される３つのサイクルにわたって続き、各々は、それぞれサイクル２、３、および４の間に発生する。しかしながら、これらの充填事象の各々についての生データにおける反復性に起因して、第１の充填事象８１０および最後の充填事象８３０のみが、処理された差分データ内にそれぞれ正のピーク８４０および負のピーク８５０として現れ得る。
【００８９】
Ｂ．期間ごとの差分を使用したノイズ信号の特徴付け
[0105]上に説明される期間ごとの差分技術が、ノイズ信号を配列決定信号から区別するためにどのように使用され得るかを例証するため、ノイズレス条件下の開放チャネル細孔の場合を検討する。そのような条件では、ＡＣ信号の後続期間からの明モード値は等しくなる（ゲインドリフトなしおよびオフセットドリフトなしと仮定して）。より数学的に述べると、時間ｔにおいて取得される開放チャネル信号はＯＣｔ（ｉ）によって得られ、後続期間（ｔ＝ｔ＋ｎＴ）中に取得されるノイズレス信号は、ＯＣｔ＋ｎＴ（ｉ）によって得られると見なし、式中、Ｔは、ＡＣ信号の期間であり、ｎは正数である）。このとき、期間ごとの差分信号は、以下のように書くことができる。
Ｄｐ−ｔｏ−ｐ（ｉ）＝ＯＣｔ＋ｎＴ（ｉ）−ＯＣｔ（ｉ）        （２）
開放チャネルレベルが期間ごとにドリフトしない理想のケースでは、すべてのｉについて、ＯＣｔ＋ｎＴ（ｉ）＝ＯＣｔ（ｉ）であり、したがって
【数１】
2021508822.tif 000003
である。言い換えると、この理想のケースでは、ＡＣ信号の異なる期間からの明モード信号間の期間ごとの差分は、常にゼロでなければならない。
【００９０】
[0106]ここでランダムノイズが明モード信号に追加される場合、１番目の期間内の１つのポイントに追加されるノイズが、２番目の期間内の対応するポイントに追加されるノイズと同じであるという保証はない。数学的に述べると、時間ｔにおけるノイズの多い信号は、ＯＣｔ（ｉ）＋δｎｔ（ｉ）によって得られ、任意の後続サイクルにおけるノイズの多い信号は、ＯＣｔ＋ｎＴ（ｉ）＋δｎｔ＋ｎＴ（ｉ）によって得られ、式中、δｎｔ（ｉ）およびδｎｔ＋ｎＴ（ｉ）は、時間ｔおよびｎ期間後の時間ｔ＋ｎＴにおける信号上のノイズを表す。この場合、差分信号は、もはやゼロではなく、むしろ、ノイズ項間の差分によって得られる。
Ｄｐ−ｔｏ−ｐ（ｉ）＝δｎｔ＋ｎＴ（ｉ）−δｎｔ（ｉ）        （３）
ノイズの多い信号の場合における大きさＤｐ−ｔｏ−ｐの正確な値は、一般に、ノイズの動態のタイムスケール（ＡＣ信号の期間Ｔと比較して）、ノイズの振幅、およびノイズ源を説明する確率分布の形態に依存する。
【００９１】
[0107]充填ケースは、充填事象が多くの場合、ＡＣ信号のいくつかのサイクルにわたって繰り返すことから、上に説明される開放チャネルのケースに類似する。したがって、ノイズフリーシステムでは、差分信号は、１つの正のピーク、それに続いていくつかのゼロのサイクル、および次いで負のピーク（または、２つの信号間のシフトに応じてその逆）を有することになる。しかしながら、ノイズの追加後、正のピークと負のピークとの間の介在領域内に非ゼロの期間ごとの差分信号が存在することになる。そのようなケースは、図８において上に示されたものであり、ここでは充填事象が、ＡＣ信号の３サイクル（サイクル２〜４）にわたって存続し、期間ごとの差分信号は、充填事象の開始の印となる正のピーク８４０、その後に続く、充填事象の終わりの印となる負のピーク８５０を示す。正のピーク８４０と負のピーク８５０との間の介在ポイントは、ゼロに集中しているが、充填事象の間の配列決定信号上のノイズに対応するゼロ周囲の変動を保有する。
【００９２】
[0108]等式（３）の観点から、期間ごとの差分信号の振幅Ｄｐ−ｔｏ−ｐ（ｉ）は、ノイズの振幅に依存し得、そのようなものとして、信号上のノイズの測定として使用され得る。高い振幅Ｄｐ−ｔｏ−ｐ（ｉ）を保有する信号の部分は、ノイズである可能性が高いが、低い振幅Ｄｐ−ｔｏ−ｐ（ｉ）を有する信号の部分は、真の信号（開放チャネルまたは充填事象）である可能性が高い。図９〜図１１は、上のポイントをさらに例証するためにテストデータのサンプルを示す。
【００９３】
[0109]図９Ａ〜図９Ｂは、本明細書では偽充填バックグラウンドノイズ（ＰＴＢＮ）と称されるノイズ源の影響下にある、生のサンプル配列決定信号を示す。図９Ａのプロットは、充填事象が発生しなかった場合における、明モードデータ９０１および暗モードデータ９０２の両方を示す。したがって、明モードデータ９０１の全体は、開放チャネル信号値のみを含む。しかしながら、明モードデータ９０１の最後の５００ｍｓにおいて、フレーム９０３内に示される明モードデータによって強調されるように、ＰＴＢＮが発生し始める。システムは依然として開放チャネル状態にあるにもかかわらず、ＰＴＢＮは、有効な充填事象を表すレベルに非常に近い、あるいはそれに等しい信号値を結果としてもたらす。したがって、ＰＴＢＮが塩基分類の前に除去されない場合、配列決定エラーが生じ得る。
【００９４】
[0110]図９Ｂは、明モード信号データ９０１から計算される期間ごとの差分信号を示す。図９Ｂは、期間ごとの差分信号内のポイントの大半の振幅が、ＰＴＢＮが発生している時間期間の間（およそ３．１ｓから３．３ｓまでの時間期間の間）著しくより高いことを明白に示す。その一方で、正常な開放チャネル状態の間（およそ０ｓから３．１ｓまでの時間期間の間）、期間ごとの信号内のポイントの大半の振幅は、より低い。したがって、配列決定信号内の１つまたは複数のポイントは、閾値レベルを上回る振幅を有する期間ごとの差分信号内のポイントを識別することによって、高確率のＰＴＢＮノイズポイントとして識別され得る。これらのポイントが一旦識別されると、それらは、図１１〜図１３に関して以下により詳細に説明されるように、ノイズ除去された信号を生み出すために元の信号から除去され得る。
【００９５】
[0111]図１０Ａ〜図１０Ｂは、本明細書では高速取得ノイズ（ＦＣＮ）と称されるノイズ源の影響下にある、生のサンプル配列決定信号を示す。いくつかの場合では、ある種のＦＣＮは、細孔とのタグの高速動的衝突の結果として引き起こされ得る。例えば、ＦＣＮは、タグが、ナノポアの出入口に繰り返し入るが、その後タグが完全に充填される前に、出入口を介して再びナノポアから素早く出る場合に発生し得る。タグが退出後にナノポアに近いままである場合、同じプロセスが経時的に繰り返し発生し得、配列決定信号上のノイズをもたらす。図１０Ａのプロットは、充填事象が発生しなかった場合における、明モードデータ１００１および暗モードデータ１００２の両方を示す。したがって、明モードデータ１００１の全体は、開放チャネル信号値のみを含む。しかしながら、最初の１２５ｍｓ以外では、明モードデータ１００１は、ＦＣＮの対象となる。ＰＴＢＮの場合のように、システムは依然として開放チャネル状態にあるにもかかわらず、ＦＣＮは、有効な充填事象を表すレベルに非常に近い、あるいはそれに等しい信号値を結果としてもたらし得る。したがって、ＦＣＮが塩基分類の前に除去されない場合、配列決定エラーが生じ得る。
【００９６】
[0112]図１０Ｂは、明モード信号データ１００１から計算される期間ごとの差分信号を示す。図１０Ｂは、期間ごとの差分信号内のポイントの大半の振幅が、ＦＣＮが発生している時間期間の間（およそ０．１２５ｓから３．７ｓまでの時間期間の間）著しくより高いことを明白に示す。その一方で、正常な開放チャネル状態の間（およそ０ｓから０．１２５ｓまでの時間期間の間）、期間ごとの信号内のポイントの大半の振幅は、より低い。したがって、配列決定信号内の１つまたは複数のポイントは、閾値レベルを上回る振幅を有する期間ごとの差分信号内のポイントを識別することによって、高確率のＦＣＮノイズポイントとして識別され得る。これらのポイントが一旦識別されると、それらは、図１１〜図１３に関して以下により詳細に説明されるように、ノイズ除去された信号を生み出すために元の信号から除去され得る。
【００９７】
ＩＶ．差分データを使用したノイズ除去
[0113]図１０〜図１１に関して上に紹介されるように、いくつかの場合では、特定の種類のノイズは、ノイズによる影響を受けないクリーンな開放チャネル状態の差分信号よりも著しく大きい期間ごとの差分信号を呈し得る。したがって、１つまたは複数のノイズポイントは、何らかの閾値を上回る値を有する期間ごとの信号に寄与するポイントを識別することによって、差分信号から識別され得る。逆に、閾値を下回って発生するすべてのポイントは、真の信号（開放チャネルまたは充填チャネルデータ）として識別され得る。多くの異なる可能性が期間ごとの差分に基づいて信号をノイズ除去するために存在するが、２つの技術が、例証の目的のために以下に説明される。
【００９８】
[0114]第１の技術は、「生の」期間ごとの差分信号に対して１つまたは複数の閾値を使用する。第２の技術は、まず期間ごとの差分信号をノイズ除去／平滑化し、次いで第１の方法と同一の様式で１つまたは複数の閾値を使用して、ノイズ除去された期間ごとの信号内のノイズポイントを識別する中間ステップを使用する。第２の方法では、期間ごとの差分信号をノイズ除去するための任意の方法が用いられ得るが、期間ごとの信号内の充填事象の特定の形態（鋭い負の方形ピークおよび正の方形ピークの対）に起因して、ハールマザーウェーブレットを使用してノイズ除去することが、以下により詳細に説明されるように特に有利である。
【００９９】
Ａ．生の差分データ対して閾値を使用するノイズ除去
[0115]図１１は、生の配列決定信号が、生の期間ごとの差分データに適用されるような閾値化技術を使用してどのようにノイズ除去されるかを示す。図１１の上部パネル１１１９は、明モードデータ１１０３および暗モードデータ１１０５の両方を有する生の配列決定信号を示す。およそ２５５．９秒にちょうど先行して、明モードデータ１１０３にさらに示されるのは、充填事象１１０７である。この充填事象１１０７は、１１０７ａおよび１１０７ｂにおける信号内の２つの低下によって見られ得るように、２つのＡＣ期間にわたって存続する。明モードデータ１１０３にさらに示されるのは、いくつかの潜在的なノイズデータポイント、例えば、潜在的なノイズポイント１１０９および１１１１である。
【０１００】
[0116]図１１の下部パネル１１２５は、上部パネル１１１９に示される生の配列決定信号に対する１つの期間シフトから計算される、結果として生じる生の期間ごとの差分信号を示す。下部パネル１１２５にさらに示されるのは、それぞれ＋／−５．０の期間ごとの差分値にセットされる２つの閾値１１１３および１１１７である。生の信号をノイズ除去するために、＋／−５．０閾値よりも大きい期間ごとの差分値と関連付けられたすべてのポイントは、ノイズポイントとして識別され得る。特定の実施形態によると、期間ごとの差分を計算するために使用される生の信号内の両方のポイントが、ノイズポイントとして識別され得る。代替的に、ポイントのうちの一方のみ、例えば、差分を計算するために使用される第１または第２のポイントが、ノイズポイントとして識別され得る。
【０１０１】
[0117]図１１の２番目のパネル１１２１は、＋／−３よりも大きい期間ごとの差分値を結果としてもたらすすべてのポイントを選択することによって決定されるノイズポイントのセットを示す（白丸として示される）。実際の充填事象の正および負のピークはまた、この手順において除去されるが、これが、必ずしも配列決定データからの充填信号のすべてを消去するわけではないということに留意されたい。図８に関して上に論じられるように、ほとんどの場合、充填事象は、多くのＡＣサイクルにわたって存続し、したがって、充填事象のまさに最後および充填事象のまさに最初と関連付けられたデータのみが、閾値技術を使用して除去されることになるが、これは、これらが、期間ごとの差分信号内の大きい値を呈する唯一のポイントであるためである。開始ピークと終了ピークとの間の介在領域において、データは、ゼロ周囲を変動するが、このデータが、図８に示される期間ごとのデータに最もよく見られるように、充填データポイントを含むことが理由で、依然として、実際、有用な信号に対応する。
【０１０２】
[0118]有利には、正のピークと負のピークとの間にある充填状態データにおける差分データ振幅は、開放チャネルにおける差分データ振幅に匹敵するが、１つまたは複数のノイズ源、例えば、図９〜図１０に関して上に説明されるようなＰＴＢＮおよびＦＣＮによる影響を受ける他のエリアにおける差分データ振幅よりも著しく小さい。したがって、差分データに適用される閾値化手順は、配列決定「真の」信号値（充填および開放チャネルポイント）と１つまたは複数のノイズ源によって引き起こされ得る偽の信号値（差分データ内の他の大きい振幅ポイント）とを区別することができる。ノイズポイント（２番目のパネル内の白丸）が期間ごとの閾値を使用して一旦識別されると、それらは、生の信号から除去され得、図１１の３番目のパネル１１２３に示されるようなノイズ除去された配列決定信号を結果としてもたらす。ノイズ除去された信号は、パネル１１１９に示される生の信号よりも著しくクリーンであるが、依然として、およそ２５５．９秒の直前に位置する明白な充填信号１１２７を含むということが見て分かる。
【０１０３】
[0119]ここに示される例は、単一のセット閾値のみを適用するが、複数の閾値のセットが、閾値の１つまたは複数の範囲内に入るデータポイントだけを除去するために適用され得る。代替的に、異なる閾値を異なる時に、例えば、データ自体の性質、および特定のノイズ源が存在するか否かに応じて使用する、適応閾値が適用され得る。
【０１０４】
[0120]他の場所、例えば、「Ｆｏｒｍａｔｉｏｎ  ａｎｄ  Ｃａｌｉｂｒａｔｉｏｎ  ｏｆ  Ｎａｎｏｐｏｒｅ  Ｓｅｑｕｅｎｃｉｎｇ  Ｃｅｌｌｓ」という表題の米国特許出願第１５／６３２，１９０号、「Ｎｏｒｍａｌｉｚａｔｉｏｎ  ａｎｄ  Ｂａｓｅｌｉｎｅ  Ｓｈｉｆｔ  Ｒｅｍｏｖａｌ  ｂｙ  Ｒｏｔａｔｉｏｎ  ｉｎ  Ａｄｄｅｄ  Ｄａｔａ  Ｄｉｍｅｎｓｉｏｎｓ」という表題の米国仮特許出願第６２／５９１，０９９号、および「Ｐｅｒｉｏｄ−ｔｏ−Ｐｅｒｉｏｄ  Ａｎａｌｙｓｉｓ  ｏｆ  ＡＣ  Ｓｉｇｎａｌｓ  ｆｒｏｍ  Ｎａｎｏｐｏｒｅ  Ｓｅｑｕｅｎｃｉｎｇ」という表題の米国特許出願第１５／６２８，３５３号に説明されるように、配列決定信号（この場合、ノイズ除去された配列決定信号）は、さらなる処理、例えば、カルマンフィルタ等によるさらなるフィルタリング、または、２次元変換によるさらなる処理のために下流に供給され得、ノイズ除去された配列決定信号の信号値からＤＮＡ配列を識別するために塩基分類処理において分析され得、これら特許の開示は、あらゆる目的のためそれらの全体が引用により本明細書に組み込まれる。
【０１０５】
Ｂ．ウェーブレットノイズ除去された差分データに対して閾値を使用するノイズ除去
[0121]特定の実施形態によると、上に説明される閾値化手順は、それ自体がいくつかの他の手段により以前にノイズ除去されているか、フィルタリングされているか、または平滑化されている期間ごとの差分信号に対して用いられ得る。任意のノイズ除去／フィルタリング／平滑化手順は、この様式で差分信号を事前前処理するために使用され得る。特定の実施形態によると、期間ごとの差分信号内の充填事象の形状に起因して、ハールマザーウェーブレットを用いたウェーブレットノイズ除去プロセスが、信号を効果的にノイズ除去するために使用され得る。図１２Ｃは、最初の６つのハールウェーブレットの例を示し、また、ウェーブレットのこの形態が、期間ごとの差分信号内の充填事象に酷似することを例証する（すなわち、ウェーブレットの基本形状は、期間ごとの差分信号の充填事象に類似して、正および負の方形波を含む）。
【０１０６】
[0122]ウェーブレットノイズ除去のプロセスは、３つのステップを含み得る。第一に、ノイズの多い信号のマルチレベル離散ウェーブレット分解が、分解の各レベルｊについてウェーブレット詳細係数のセットを得るために実施される。例えば、５レベル分解は、詳細係数の５つのセットを有する。より具体的には、離散ウェーブレット分解は、所与のマザーウェーブレットψ（ｔ）についてチャイルドウェーブレットの離散セットのウェーブレット係数を計算することと解釈され得、チャイルドウェーブレットは、マザーウェーブレットを２のべき乗によりシフトおよびスケーリングすることによって生成される。したがって、各レベルｊについて、チャイルドウェーブレットのセットは、
【数２】
2021508822.tif 000004
であり、式中、ｊは、スケールまたはレベルパラメータと称され、ｋは、シフトパラメータであり、両方とも整数である。等式（４）により規定されるチャイルドウェーブレットのセットを使用すると、長さ２Ｎを有する信号ｘ（ｔ）の詳細係数γｊｋ（レベルｊについて）は、信号ｘ（ｔ）を、以下の積分
【数３】
2021508822.tif 000005
に従って固定されるチャイルドウェーブレットのセットｊに投影することによって算出され得、式中、ｋは、０〜２Ｎ−１の範囲にわたる。したがって、レベルＬまで及ぶマルチレベル離散ウェーブレット分解の出力は、詳細係数γ１ｋ，γ２ｋ，…，γＬｋのＬ個のセットである。言葉で述べると、各レベルｊについて、詳細係数は、ポイント１，２ｊ，２２ｊ，．．．，２Ｎにおいてサンプリングされるマザーウェーブレットの拡張、反映、および正規化されたバージョンでノイズの多い信号ｘ（ｔ）の畳み込みを行うことによって計算される。したがって、各レベルについて、ノイズの多い信号が１００，０００のデータポイントを含む場合、１００，０００の詳細係数が存在することになる。
【０１０７】
[0123]詳細係数が決定された後、閾値化プロセスが、何らかの閾値化規則に従って各レベルの係数のセットを修正するために適用される。ウェーブレットノイズ除去スキームにおいて使用される閾値化関数の具体的な形態は様々であり得るが、いわゆる「ｈａｒｄ」および「ｓｏｆｔ」閾値化技術が多くの場合使用される。両方の閾値化スキームは、閾値よりも小さい大きさを有するすべての詳細係数をゼロに設定する。しかしながら、ｈａｒｄおよびｓｏｆｔ閾値化は、それらがどのようにして、閾値より大きいか、またはそれに等しい大きさを有する残りの詳細係数を処理するかにおいて異なる。ｓｏｆｔ閾値化では、残りの詳細係数の大きさは、詳細係数値から閾値を減じることによって減少される。ｈａｒｄ閾値化では、残りの詳細係数は変更されない。
【０１０８】
[0124]閾値化された詳細係数は、やがてはウェーブレット係数として使用され、これにより、フィルタリングされた信号を再構築することから、閾値化プロセスの効果は、ノイズの多いデータ信号に酷似するウェーブレット関数の再構築された信号における相対的重要性を効果的に増大させるが、そのデータポイントにおいてノイズの多い信号に似ていないウェーブレット関数を処分するか、またはそれに重点を置かないことである。
【０１０９】
[0125]閾値化された詳細係数が一旦計算されると、ノイズ除去された信号は、閾値化された係数を使用した逆ウェーブレット変換によって再構築される。この再構築された信号は、より少ないノイズを有するが依然として信号を高周波数成分に保つ、フィルタリングされたデータ信号を提供する。
【０１１０】
[0126]多くのウェーブレットベースの信号処理ライブラリは、ノイズの多い信号およびパラメータのセットを入力として受け取り、ウェーブレットノイズ除去された信号を出力する関数を実施することによって多段階ノイズ除去プロセスを簡略化することができるウェーブレットノイズ除去関数を含む。１つのそのような例は、Ｍａｔｌａｂ科学技術計算プラットフォーム内で利用可能である関数‘ｗｄｅｎ’である。この関数は、いくつかのパラメータを、ｗｄｅｎ（Ｘ、ＴＰＴＲ、ＳＯＲＨ、ＳＣＡＬ、Ｎ、‘ｗｎａｍｅ’）の形態をとる関数による入力として受け取る。Ｘは、ノイズの多い信号であり、ＴＰＴＲは、閾値選択規則（例えば、ＳＵＲＥ閾値化、ｕｎｉｖｅｒｓａｌ閾値化、ｍｉｎｉｍａｘ閾値化など）を含む文字ベクトルであり、ＳＯＲＨは、適用されることになる閾値化の種類（ｓｏｆｔ閾値化またはｈａｒｄ閾値化）を設定するパラメータであり、ＳＣＡＬは、倍数的閾値再スケーリングを使用するか否かの選択であり、パラメータ‘Ｎ’は、マルチレベル離散ウェーブレット分解のレベルを規定し、最後に、‘ｗｎａｍｅ’は、分解および再構成のために使用されるべきウェーブレットの名前（例えば、様々なドブシーウェーブレット、ハールウェーブレット、Ｃｏｉｆｌｅｔｓ、Ｓｙｍｌｅｔｓなど）である。Ｐｙｔｈｏｎ「ｐｙｗｔ」ライブラリ等内に見られるものなど、他の類似のウェーブレットパッケージが使用されてもよい。上記は、単に例証の目的のために本明細書に提供され、任意のウェーブレットノイズ除去プロセスが、本開示の範囲から逸脱することなく用いられ得る。
【０１１１】
[0127]図１２Ａ〜図１２Ｂは、特定の実施形態に従う、「ｈａｒｄ」閾値化を用いたいわゆる「ユニバーサル閾値」を使用する５レベルハールウェーブレットノイズ除去の結果を示す。いわゆる「ユニバーサル閾値」λＬは、各レベルＬについて規定され、以下によって得られ、
【数４】
2021508822.tif 000006
式中、σＬは、所与のレベルについてのノイズの標準偏差であり、ｎは、サンプルサイズである。
【０１１２】
[0128]標準偏差を直接計算するよりも、分解の結果として提供されたウェーブレット係数を使用して標準偏差を推測することがしばしば有用である。より具体的には、ウェーブレット分解では、ノイズσＬの標準偏差は、以下のようにウェーブレット係数の絶対値の中間値（ＭＡＤ）から推測され得る。
σＬ＝ＭＡＤＬ／０．６７４５
「ユニバーサル閾値」の使用の根拠は、それがサンプルサイズｎの仮定された独立同分布（ｉ．ｉ．ｄ）ノーマルノイズシーケンスの予測された最大値よりも小さいすべてのウェーブレット係数を除去し、したがって信号対ノイズの観点から最適であることである。
【０１１３】
[0129]図１２Ａは、生の期間ごとの差分信号１２０３とハールウェーブレットノイズ除去された期間ごとの差分信号１２０５との比較の一例を示す。比較から見て分かるように、ハールウェーブレットノイズ除去は、生の期間ごとの差分信号の低振幅部分を効果的に除去し、高振幅部分の些細ではない変動を保ち、それにより、図１１に関して上に説明される閾値化手順を使用したノイズポイントの改善された識別を提供することができる基部の期間ごとの信号を提供する。例えば、図１２Ｂに示されるように、期間ごとの差分信号が、ウェーブレット方法を使用してそれ自体がノイズ除去された後、ノイズポイントのセットが、図１１に関して上に説明されるものと同一の様式で１つまたは複数の閾値１２０９および１２１１を適用することによって、そのウェーブレットノイズ除去された期間ごとの信号から決定され得る。
【０１１４】
[0130]図１３は、特定の実施形態による、配列決定セルを使用する例となる方法を例証するフローチャートである。より具体的には、図１３は、いくつかの実施形態による、ナノポア配列決定からのＡＣ信号の期間ごとの分析を使用して配列決定信号をノイズ除去する方法を例証する。
【０１１５】
[0131]ステップ１３１０において、交流信号（本明細書では「ＡＣ信号」とも称される）は、配列決定セルのナノポアにわたって印加される。そのようなＡＣ信号は、図４に関して上に説明されるＡＣ電圧源４２０（本明細書ではＡＣ「信号発生器」とも称される）に類似する、ＡＣ信号発生器によって提供される方形波であってもよい。いくつかの実施形態では、ＡＣ信号は、交流信号の各サイクルが第１の部分（本明細書では「明モード」または「明期間」と称される）および第２の部分（本明細書では「暗モード」または「暗期間」と称される）を含んでいる複数サイクル長であってもよい。第２の部分の電圧レベルは、第１の部分の電圧レベルに対して、参照電圧の反対である（ＶＬＩＱは、図５に示される実施形態ではＶＰＲＥより上または下のいずれかである）。図１〜図２に関して上に説明されるように、いくつかの実施形態では、ナノポアは、ヌクレオチドに連結したタグを受け取るように構成され、それにより充填事象を生み出す。
【０１１６】
[0132]ステップ１３２０において、第１の電圧データのセット（本明細書では「シフトされていない電圧データ」または「生の電圧データ」とも称される）が、図４に関して上に説明されるように、例えば、ＡＤＣ４１０によって取得される。いくつかの実施形態では、第１の電圧データのセットは、交流信号の複数サイクルの第１の部分（例えば、明期間）の間に取得される。第１の電圧データのセットの例は、図５の明期間５２０に示されるデータポイント、および図７〜図８に示されるように、「Ｂ」期間内を特徴とするすべてのポイントも含む。図７〜図８に示されるように、第１の電圧データのセットは、ＡＣ信号の複数サイクルにわたって取得される電圧データポイントを含み得る。上に説明されるように、電圧データは、異なる時間におけるナノポアの抵抗の値に対応（すなわち、依存）し、ナノポアの抵抗は、タグがナノポア内で受け取られるときに変化する。
【０１１７】
[0133]ステップ１３３０において、電圧データの時間シフトされたセットは、例えば、図４において上に示されるデジタルプロセッサ４３０によって、取得された生の電圧データから決定される。シフトされたデータの例は、上に論じられるように、図７〜図８に示される。いくつかの実施形態では、電圧データの生のセットおよびシフトされた電圧データのセットのデータポイントの各サイクルは、指定された数のデータポイントを含み、生のシフトされていないデータは、明期間内に１５のデータポイントを含み得、シフトされたデータは、明期間内に対応する１５のデータポイントを含み得る。シフトされたデータがシフトされていないデータに対して時間シフトされることが理由で、シフトされたデータのデータポイントおよびシフトされていないデータのデータポイントは、例えば上の図７〜図８に関して、上に論じられるように、ＡＣ信号の異なるサイクルからのものである。
【０１１８】
[0134]ステップ１３４０において、差分データは、シフトされていない電圧データのセットのデータポイントとシフトされた電圧データのセットの対応するデータポイントとの差分を計算することによって、例えば、図４において上に示されるデジタルプロセッサ４３０によって計算される。いくつかの例では、対応するデータポイントは、それぞれのサイクル内で同じ位置を有するが、異なるサイクル内に存在し得る。例えば、シフトされていないデータのサイクル１に由来するシフトされていないデータポイント、およびシフトされていないデータのサイクル２に由来するシフトされたデータポイントでは、差分データは、以下の様式で計算され得る：まず、差分データポイントが、サイクル２の第１のポイントからサイクル１からの第１のポイントを減じることによって計算され得、次に、第２の差分データポイントが、サイクル２の第２のポイントからサイクル１からの第２のポイントを減じることによって計算され得る、というように続く。本開示の利点を有する当業者は、差分を実施するために多くの異なる方式が存在すること、および上に説明される単一ポイント方法が多くのうちの単なる一例を意味するということを理解するものとする。例えば、各サイクルからの複数データポイントは、減算の前に平均化もしくはフィルタリングされ得るか、または差分は、本開示の範囲から逸脱することなく、最近接減算、第二最近接減算等に基づいて計算され得る。
【０１１９】
[0135]任意選択的に、差分データは、例えば、フィルタリング、平滑化、および／またはノイズ除去によって、さらに処理され得る。上に説明されるように、差分データがステップ１３４０において一旦計算されると、ノイズ除去された差分データを生成するために、ウェーブレットノイズ除去技術が使用され得る。このノイズ除去された差分データは、以下のステップ１３５０に供給され得るが、さらに任意選択的には、ノイズ除去された差分信号は、ステップ１３５０に関して以下に説明されるように、追加の閾値をデータに適用する必要なしに、対応する、フィルタリングされた、平滑化された、またはノイズ除去された、電圧データのセットを復旧するために反転され得る。ノイズ除去された差分データからノイズ除去された電圧データのセットを再計算するために、元の電圧データと時間シフトされた電圧データとの和信号を使用する必要があり得る。例えば、Ａが元の電圧データであり、Ｂが時間シフトされた電圧データである場合、和信号Ｓは、
【数５】
2021508822.tif 000007
と書くことができ、差分信号Ｄは、
【数６】
2021508822.tif 000008
と書くことができ、ＡまたはＢは、それぞれＳ＋ＤまたはＳ−Ｄを計算することによって復旧され得る。したがって、いくつかの実施形態では、和信号および差分信号の両方が、メモリに格納され、ノイズ除去された差分データからノイズ除去された電圧データのセットを再構築するために後に使用され得る。
【０１２０】
[0136]ステップ１３５０において、複数のノイズポイントは、（生の差分データを使用するか、またはノイズ除去された差分データを使用するかのいずれかで）識別される。この識別は、１つまたは複数の閾値よりも大きい差分データポイントのセットを識別するようにプログラムされる、デジタルプロセッサによって、例えば、デジタルプロセッサ４３０によって、達成され得る。例えば、図１１において、パネル１１２１は、識別されたノイズポイントのセットを白丸で示す。これらのノイズポイントは、＋／−５よりも大きい差分データポイントと関連付けられたデータポイントであることが決定された。
【０１２１】
[0137]ステップ１３６０において、ノイズ除去された電圧データは、第１の電圧データのセットからノイズポイントを除去することによって生成される。例えば、５より大きい差分データポイントが１０番目および２０番目の電圧データポイントの差分から計算される場合において、１０番目および２０番目のデータポイントは共に、最終的なノイズ除去されたデータにおいて除去され得る。代替的に、１０番目のポイントのみまたは２０番目のポイントのみが除去され得る。
【０１２２】
[0138]特定の実施形態によると、ノイズ除去されたデータは、いくつかの異なる目的のために使用され得る。例えば、データは、ベースラインシフトおよび／またはゲインドリフトを除去するためにさらに処理され得、米国特許出願第１５／６３２，１９０号、米国仮特許出願第６２／５９１，０９９号、および米国特許出願第１５／６６９，２０７号に説明されるように、正規化され、次いで塩基分類のために使用され得、これら特許はあらゆる目的のためにそれらの全体が参照により本明細書に組み込まれる。いくつかの実施形態では、１つまたは複数の充填事象は、ノイズ除去されたデータ内の１つまたは複数のデータポイントを使用して信号処理システムによって識別され得、またそれらのレベルに基づいて、システムは、配列決定セル内の核酸内に組み込まれたヌクレオチドを決定することができる。
【０１２３】
[0139]加えて、ノイズ除去されたデータは、期間ごとの差分信号の別のサイクルを計算するために使用され得る。この場合、第２の期間ごとの差分が計算される前に、除去されたノイズデータが１つまたは複数の置換値に置き換えられるデータ代入プロセス。例えば、欠陥データは、２つの隣接する値の中間である補間値に置き換えられ得るか、または欠陥データは、ゼロに置き換えられ得る。本開示の利益を有する当業者によって理解されるように、多くの異なるデータ代入方法が用いられ得る。いくつかの場合では、代入方法は、著しくシフトしないように、および塩基分類のために使用される配列決定信号ヒストグラム内のピーク値の、選択され得る。
【０１２４】
Ｖ．結果
[0140]図１４Ａ〜図１６Ｄは、本明細書に説明されるノイズ除去技術を使用したサンプルデータを示す。より具体的には、図１４Ａ〜図１６Ｄは、配列決定信号が、生の期間ごとの差分データ上の閾値を使用してノイズポイントを決定することによって、どのようにノイズ除去され得るかを示す（ウェーブレットノイズ除去の事前処理ステップはこの例では用いられない）。
【０１２５】
[0141]各図は、３つの異なるプロットのセットを示す。上部プロットは、生の配列決定信号を示し、中央プロットは、ノイズ除去された信号を示し、下部プロットは、ノイズポイントが、これらのポイントが閾値よりも大きい期間ごとの差分信号を有していたことが理由で、除去されたことを示す。図１４Ａは、最大閾値で始まり、この閾値は、後の図ほど減少する。各図は、同じ信号値のセットで始まり、プロットごとの差分のみが、期間ごとの差分信号からノイズポイントを決定するための閾値の選択における変化である。
【０１２６】
[0142]図１４Ａは、＋／−３１ＡＤＣカウントという比較的大きい閾値を使用してノイズ除去する効果を示す。図１４の下部プロットから推論され得るように、非常に少ないポイントが、３１よりも大きい期間ごとの差分を有する。ｔ＝３．７５ｓ近くに現れるノイズポイント１４０１のみが除去され、全データの０．００６％のみを表す。したがって、３１という閾値は、信号を効果的にノイズ除去するには高すぎると仮定され得る。
【０１２７】
[0143]図１４Ｂは、＋／−２５ＡＤＣカウントというわずかに低い閾値を使用してノイズ除去する効果を示す。図１４Ｂの下部プロットから分かるように、ノイズポイントの２つのはっきりと異なるグループ。有利には、これらのノイズポイントは、ＡＤＣカウント内にランダムに分散されず、むしろ、グループ１４０３は、およそ１６０というＡＤＣ値のすぐ下を中心とし、グループ１４０５は、１００ＡＤＣカウントのすぐ上を中心とする。これらのデータポイントは、共通のノイズ源：ＰＴＢＮによって引き起こされるため、これら２つのＡＤＣ値の周りに集まる。ＰＴＢＭノイズ信号の一部分は、各図の上部プロット内では、取得の長さ全体のように見えるものを走る、ポイントの薄い線、例えば、線１４０７として見られ得る。図１４Ｂの下部プロットに示される、また中央プロットに示されるノイズ除去された信号から除去される、ノイズデータポイントの数は、全データの０．１９７％のみを表す。
【０１２８】
[0144]図１４Ｃは、＋／−２１ＡＤＣカウントというわずかに低い閾値を使用してノイズ除去する効果を示す。図１４Ｃの下部プロットから分かるように、図１４Ｂ内に存在していたノイズポイントの２つのはっきりと異なるグループは、依然として存在し、さらに多くのポイントを保有するように見える。図１４Ｃの下部プロットに示される、また中央プロットに示されるノイズ除去された信号から除去される、ノイズデータポイントの数は、全データの０．７９５％のみを表す。この閾値は、ＰＴＢＮクラスタ１４０９が、ノイズ除去されたデータを示す中央プロット内で依然として可視であるため、ＰＴＢＮを完全に除去するには依然として十分に低くないように見える。
【０１２９】
[0145]図１４Ｄは、＋／−１５ＡＤＣカウントというさらに低い閾値を使用してノイズ除去する効果を示す。図１４Ｃの下部プロットに示される、また中央プロットに示されるノイズ除去された信号から除去される、ノイズデータポイントの数は、ここでは全データの２．２６３％のみを表す。この場合、ＰＴＢＮクラスタは、図１４Ｄの中央プロットに示されるノイズ除去された信号から完全に除去されるように見える。
【０１３０】
[0146]図１５Ａ〜図１５Ｄは、＋／−１１、＋／−９、＋／−７、および＋／−５という次第に低くなる閾値の効果を示し、これらは、それぞれデータの２．９６４％、３．２９２％、３．６９５％、および４．２９１％を除去する。＋／−７という比較的低い閾値においてさえ、ノイズ除去は、ノイズ除去された信号においてさえも、開放チャネルまたは充填チャネルデータを劣化させていないように見える。
【０１３１】
[0147]図１６Ａ〜図１６Ｄは、＋／−４、＋／−３、＋／−２、および＋／−１という次第に低くなる閾値の効果を示し、これらは、それぞれデータの４．７３５％、５．５３％、９．７９２％、および３８．７２２％を除去する。注目すべきことには、唯一２の閾値が、データのおよそ９０％を依然として維持し、差分データポイントの９０％が２より小さいかまたはそれに等しい値を有することを暗示する。閾値が１という最小値に設定されて初めて、本方法は、大量のデータを除去し始め、その時でさえ、図１６Ｄに示されるデータは、この例では、差分データの６０％超が＋／−１および０の値（そのような低い閾値の場合に唯一可能なＡＤＣポイント）を有することを証明する。そのような発見は、この技術が、開放チャネルおよび充填チャネルデータに劇的に影響を及ぼすことなく、ノイズポイントを効果的に除去するために使用され得ることを暗示する。実際、図１６Ｄに示される＋／−１の場合でさえ、クリーンにされた信号を示す中央プロットは、充填事象のクラスタ、例えば、開放チャネルベースラインより下で明白に可視であるクラスタ１６０３を伴う、比較的ノイズフリーの配列決定信号を有するように見える。
【０１３２】
ＶＩ．コンピュータシステム
[0148]本明細書で説明したコンピュータシステムの任意のものは、任意の適切な数のサブシステムを利用し得る。そのようなサブシステムの例は、図１７のコンピュータシステム１７１０内で示した。いくつかの実施形態では、コンピュータシステムは、単一のコンピュータ装置を含み、ここでサブシステムは、コンピュータ装置の構成要素であり得る。他の実施形態では、コンピュータシステムは、各々がサブシステムであり、内部に構成要素を有する、複数のコンピュータ装置を含み得る。コンピュータシステムは、デスクトップおよびラップトップコンピュータ、タブレット、携帯電話、ならびに他の携帯機器を含み得る。
【０１３３】
[0149]図１７で示したサブシステムは、システムバス１７７５を介して相互接続されている。プリンタ１７７４、キーボード１７７８、記憶デバイス１７７９、ディスプレイアダプタ１７８２に結合されているモニタ１７７６、およびその他などの付加的なサブシステムを示す。Ｉ／Ｏ制御装置１７７１に結合された外付けおよび入出力（Ｉ／Ｏ）デバイスは、入出力（Ｉ／Ｏ）ポート１７７７（例えば、ＵＳＢ、Ｆｉｒｅ  Ｗｉｒｅ（登録商標））などの当技術分野で知られている任意の数の手段によって、コンピュータシステムに接続され得る。例えば、Ｉ／Ｏポート１７７７または外部インタフェース１７８１（例えば、イーサネット、Ｗｉ−Ｆｉ、など）は、コンピュータシステム１７１０をインターネットなどの広域ネットワーク、マウス入力装置、またはスキャナに接続するために用いられ得る。システムバス１７７５を介した相互接続により、サブシステム間での情報交換を可能にするだけでなく、セントラルプロセッサ１７７３が、各サブシステムと通信すること、システムメモリ１７７２または記憶デバイス１７７９（例えば、ハードドライブまたは光ディスクなどの固定ディスク）からの複数の命令実行を制御することを可能にする。システムメモリ１７７２および／または記憶デバイス１７７９は、コンピュータ可読媒体を含み得る。別のサブシステムは、カメラ、マイクロフォン、加速度計、その他などのデータ収集デバイス１７８５である。本明細書で説明したデータの任意のものは、ある構成要素から別の構成要素へ出力され得て、ユーザに出力され得る。
【０１３４】
[0150]コンピュータシステムは、例えば、外部インタフェース１７８１によって、または内部インタフェースによって、共に接続される、複数の同一の構成要素またはサブシステムを含み得る。いくつかの実施形態では、コンピュータシステム、サブシステム、または装置は、ネットワークを通して通信し得る。そのような事例では、あるコンピュータは、クライアント、別のコンピュータは、サーバと考えることができ、ここで各々は、同一のコンピュータシステムの一部であり得る。クライアントおよびサーバは、各々複数のシステム、サブシステム、または構成要素を含み得る。
【０１３５】
[0151]実施形態の態様は、ハードウェア（例えば、特定用途向け集積回路またはフィールドプログラマブルゲートアレイ）を用いて、および／またはモジュラーまたは統合された様式の一般にプログラム可能なプロセッサを伴う、コンピュータソフトウェアを用いて、制御ロジックの形態で実施され得る。本明細書で使用されるとき、プロセッサは、同一の集積チップ上のシングルコアプロセッサ、マルチコアプロセッサ、または単一の回路基板上のマルチプロセシングユニット、あるいはネットワーク接続されたプロセッサを含む。本開示および本明細書で提供された教示に基づいて、ハードウェアならびにハードウェアおよびソフトウェアの組合せを用いて、本発明の実施形態を実施するための他の方法および／または方法が、当業者には、知られ、かつ理解されよう。
【０１３６】
[0152]本出願で説明されるソフトウェアの構成要素または機能の任意のものは、例えばＪａｖａ、Ｃ、Ｃ＋＋、Ｃ＃、Ｏｂｊｅｃｔｉｖｅ−Ｃ、Ｓｗｉｆｔなどの任意の好適なコンピュータ言語、または例えば、従来のまたはオブジェクト指向の技術を用いたＰｅｒｌもしくはＰｙｔｈｏｎなどのスクリプト言語を用いてプロセッサによって実行されるソフトウェアコードとして実装され得る。ソフトウェアコードは、一連の命令または指令として、保存および／または伝送用の、コンピュータ可読媒体上に格納され得る。好適な非一時的コンピュータ可読媒体は、ランダムアクセスメモリ（ＲＡＭ）、リードオンリーメモリ（ＲＯＭ）、ハードドライブ、フロッピーディスクなどの磁気媒体、コンパクトディスク（ＣＤ）もしくはＤＶＤ（デジタル多用途ディスク）などの光学的媒体、またはフラッシュメモリ、などを含み得る。コンピュータ可読媒体は、そのような記憶または伝送デバイスの任意の組合せであり得る。
【０１３７】
[0153]そのようなプログラムは、さらにエンコードされ、インターネットを含む、多様なプロトコルに従う有線、光学、および／または無線ネットワークを介した伝送に適応された、搬送波信号を用いて伝送され得る。そのように、コンピュータ可読媒体は、そのようなプログラムを用いてエンコードされたデータ信号を使用して作成され得る。プログラムコードを用いてエンコードされたコンピュータ可読媒体は、互換性のあるデバイスを用いて包装され得て、または別個に他のデバイスから供給され得る（例えば、インターネットでのダウンロード）。任意のそのようなコンピュータ可読媒体は、個々のコンピュータ製品（例えば、ハードドライブ、ＣＤ、または完全なコンピュータシステム）上にまたは内部に備えられ得て、また、システムまたはネットワーク内部の異なるコンピュータ製品上にまたは内部に存在し得る。コンピュータシステムは、本明細書で説明した成果の任意のものをユーザに提供するための、モニタ、プリンタ、または他の好適なディスプレイを含み得る。
【０１３８】
[0154]本明細書で説明した方法の任意のものは、ステップを実行するように構成され得る１つまたは複数のプロセッサを含むコンピュータシステムを用いて、全体的にまたは部分的に実行され得る。したがって、各ステップまたはステップの各グループを実行する異なる構成要素を潜在的に有する、本明細書で説明した方法の任意のもののステップを、実行するように構成されたコンピュータシステムに、実施形態は、向けられ得る。番号を付されたステップが提示されたが、本明細書の方法のステップは、同時にまたは異なる順序で実行され得る。さらに、これらのステップの部分は、他の方法からの他のステップの部分と共に用いられ得る。また、ステップのすべてまたは部分は、任意選択的であり得る。さらに、任意の方法の任意のステップは、モジュール、ユニット、回路、またはこれらのステップを実行するための他の手段を用いて、実行され得る。
【０１３９】
[0155]個々の実施形態の個別の詳細が、本発明の実施形態の技術概念および範囲から逸脱することのなく、任意の好適な方法で組み合わされ得る。しかし、本発明の他の実施形態は、各々の個別の態様に関する特定の実施形態に、またはこれらの個別の態様の特定の組合せに、向けられ得る。
【０１４０】
[0156]列挙の「ａ」、「ａｎ」、または「ｔｈｅ」は、具体的にそうでないことに示さない限り、「１つまたは複数」を意味することを意図する。「ｏｒ」のを使用法は、具体的にそうでないことに示さない限り、「排他的論理和」でなく、「包含的論理和」を意味することを意図する。「第１の」構成要素への言及は、第２の構成要素がもたらされることを必ずしも必要としない。さらに「第１の」または「第２の」構成要素への言及は、明確に規定されない限り、言及された構成要素を特定の位置に限定しない。
【図１】
2021508822.tif 000009
【図２】
2021508822.tif 000010
【図３】
2021508822.tif 000011
【図４】
2021508822.tif 000012
【図５】
2021508822.tif 000013
【図６】
2021508822.tif 000014
【図７】
2021508822.tif 000015
【図８】
2021508822.tif 000016
【図９Ａ】
2021508822.tif 000017
【図９Ｂ】
2021508822.tif 000018
【図１０Ａ】
2021508822.tif 000019
【図１０Ｂ】
2021508822.tif 000020
【図１１】
2021508822.tif 000021
【図１２Ａ】
2021508822.tif 000022
【図１２Ｂ】
2021508822.tif 000023
【図１２Ｃ】
2021508822.tif 000024
【図１３】
2021508822.tif 000025
【図１４Ａ】
2021508822.tif 000026
【図１４Ｂ】
2021508822.tif 000027
【図１４Ｃ】
2021508822.tif 000028
【図１４Ｄ】
2021508822.tif 000029
【図１５Ａ】
2021508822.tif 000030
【図１５Ｂ】
2021508822.tif 000031
【図１５Ｃ】
2021508822.tif 000032
【図１５Ｄ】
2021508822.tif 000033
【図１６Ａ】
2021508822.tif 000034
【図１６Ｂ】
2021508822.tif 000035
【図１６Ｃ】
2021508822.tif 000036
【図１６Ｄ】
2021508822.tif 000037
【図１７】
2021508822.tif 000038
【国際調査報告】
2021508822.tif 000039
2021508822.tif 000040